(57)【要約】【課題】  本発明は、医療情報の共有利用に関し、患者間の公平を失することを抑制する情報管理装置を提供することを目的とする。【解決手段】  情報管理装置１は、医療情報を記録できる記録部３と、記録部３に自己の医療情報を記録した複数の患者の内、記録部３に記録した自己の医療情報の数が予め定められた数以上である特定患者に対し、記録部３に記録された全ての患者の医療情報を提供する制御部９と、を備える。【選択図】図1
2019164507.tif 000002
【特許請求の範囲】
【請求項１】
医療情報を記録できる記録部と、
該記録部に自己の医療情報を記録した複数の患者の内、該記録部に記録した自己の医療情報の数が予め定められた数以上である特定患者に対し、該記録部に記録された全ての患者の医療情報を提供する制御部と、
を備えた情報管理装置。
【請求項２】
医療情報を記録できる記録部と、
該記録部に自己の医療情報を記録した複数の患者の内、該記録部に記録した自己の医療情報の数が予め定められた数以上である特定患者に対し、該記録部に記録した該自己の医療情報の数に応じて、該記録部に記録された医療情報の範囲を変えて提供する制御部と、
を備えた情報管理装置。
【請求項３】
該制御部は、該患者が自己の医療情報を該記録部に記録する際、該自己の医療情報に対し、該患者の個人情報を隠す処理を行う請求項１または２に記載の情報管理装置。
【請求項４】
該制御部は、各種医療機関に対し該記録部に記録された医療情報を提供し、該各種医療機関が作成した医療機関情報を該記録部に記録すると共に、該特定患者に対し該記録部に記録された該医療機関情報を提供する請求項１〜３のいずれか１項に記載の情報管理装置。
【発明の詳細な説明】
【技術分野】
【０００１】
本発明は、情報管理装置に関する。
【背景技術】
【０００２】
特許文献１および２には、患者間で医療情報を共有する技術が開示されている（特許文献１の段落〔０１０６〕〜〔０１０８〕等、特許文献２の段落〔０２７６〕〜〔０２７９〕等）。
【先行技術文献】
【特許文献】
【０００３】
【特許文献１】特表２０１５−５２９８８１号公報
【特許文献２】特表２０１１−５２７８０２号公報
【発明の概要】
【発明が解決しようとする課題】
【０００４】
患者が各種医療機関を利用して得た自己の医療情報は、たとえ個人を特定できないように氏名、住所等の個人情報を無くしたとしても、第三者に利用されることを望まない患者が存在する。
【０００５】
その一方で、自己の医療情報を他の患者の治療に役立てるなど、第三者の利用に供することを望む献身的な患者が存在する。このような献身的な患者は、自己の医療情報を他の患者が参照できる場に提供することにより（例えば、データベースに記録する等）、患者間で複数の医療情報を共有し、相互利用を図っている。
【０００６】
しかし、献身的な患者には、提供する自己の医療情報の件数が多い患者と（例えば１００件以上）、少ない患者と（例えば１件）、が存在する。このため、自己の医療情報を提供し合う患者間の公平を失するという問題がある。
【０００７】
本発明は、医療情報の共有利用に関し、患者間の公平を失することを抑制する情報管理装置を提供することを目的とする。
【課題を解決するための手段】
【０００８】
請求項１に記載の情報管理装置は、医療情報を記録できる記録部と、該記録部に自己の医療情報を記録した複数の患者の内、該記録部に記録した自己の医療情報の数が予め定められた数以上である特定患者に対し、該記録部に記録された全ての患者の医療情報を提供する制御部と、を備えたものである。
【０００９】
請求項２に記載の情報管理装置は、医療情報を記録できる記録部と、該記録部に自己の医療情報を記録した複数の患者の内、該記録部に記録した自己の医療情報の数が予め定められた数以上である特定患者に対し、該記録部に記録した該自己の医療情報の数に応じて、該記録部に記録された医療情報の範囲を変えて提供する制御部と、を備えたものである。
【００１０】
請求項３に記載の情報管理装置は、請求項１または２に記載の情報管理装置において、該制御部は、該患者が自己の医療情報を該記録部に記録する際、該自己の医療情報における該患者の個人情報を隠す処理を行うものである。
【００１１】
請求項３に記載の情報管理装置は、請求項１から３のいずれか１つに記載の情報管理装置において、該制御部は、各種医療機関に対し該記録部に記録された医療情報を提供し、該各種医療機関が作成した医療機関情報を該記録部に記録すると共に、該特定患者に対し該記録部に記録された該医療機関情報を提供するものである。
【発明の効果】
【００１２】
請求項１に記載の情報管理装置によれば、特定患者以外にも医療情報提供する場合と比較して、医療情報の共有利用に関し、患者間の公平を失することを抑制できる。
【００１３】
請求項２に記載の情報管理装置によれば、特定患者が、予め定められた件数に対して、より多くの自己の医療情報を記録部に記録することを促すことができる。
【００１４】
請求項３に記載の情報管理装置によれば、患者の個人情報を隠す処理をしなかった場合と比較して、患者の個人情報が流出することを抑制できる。
【００１５】
請求項４に記載の情報管理装置によれば、特定患者は、各種医療機関が作成した医療機関情報の提供を受けることできる。
【図面の簡単な説明】
【００１６】
【図１】本発明の情報管理装置１を含む情報管理システム２の全体構成の一例を示すブロック図である。
【図２】記憶装置４（他の記録部）の一例を示すブロック図である。
【図３】制御部９の一例を示すブロック図である。
【図４】本発明の情報管理装置１を含む情報管理システム２０１の全体構成の一例を示すブロック図である。
【図５】使用患者の通信端末８に表示される初期画面３００の一例である。
【図６】使用患者の通信端末８に表示される登録画面３１０の一例である。
【図７】使用患者の通信端末８に表示されるログイン画面３２０の一例である。
【図８】使用患者の通信端末８に表示されるメニュー画面３３０の一例である。
【図９】使用患者の通信端末８に表示される変更／参照画面３４０の一例である。
【図１０】使用患者の通信端末８に表示される医療情報の記録／参照画面３５０の一例である。
【図１１】使用患者の通信端末８に表示される医療情報の記録／参照画面３５０の一例である。
【図１２】使用患者の通信端末８に表示される医療情報の記録／参照画面３５０の一例である。
【図１３】使用患者の通信端末８に表示される医療情報の記録／参照画面３５０の一例である。
【図１４】使用患者の通信端末８に表示される医療情報の提供／参照画面３６０の一例である。
【図１５】使用患者の通信端末８に表示される医療情報の提供／参照画面３６０の一例である。
【図１６】使用患者の通信端末８に表示される医療情報の提供／参照画面３６０の一例である。
【図１７】使用患者の通信端末８に表示される医療情報の提供／参照画面３６０の一例である。
【図１８】使用患者の通信端末８に表示される医療情報の提供／参照画面３６０の一例である。
【図１９】使用患者の通信端末８に表示される医療情報の提供／参照画面３６０の一例である。
【図２０】使用患者の通信端末８に表示される医療情報の提供／参照画面３６０の一例である。
【図２１】使用患者の通信端末８に表示される医療情報の提供／参照２画面３８０の一例である。
【図２２】使用患者の通信端末８に表示される医療情報の提供／参照２画面３８０の一例である。
【図２３】使用患者の通信端末８に表示される医療情報の提供／参照２画面３８０の一例である。
【図２４】使用患者の通信端末８に表示される医療情報の提供／参照２画面３８０の一例である。
【図２５】使用患者の通信端末８に表示される医療情報の提供／参照２画面３８０の一例である。
【図２６】各種医療機関の通信端末８に表示されるメニュー画面４００の一例である。
【図２７】各種医療機関の通信端末８に表示される登録画面４１０の一例である。
【図２８】各種医療機関の通信端末８に表示されるログイン画面４２０の一例である。
【図２９】本発明の情報管理装置５０１を含む情報管理システム５０１の全体構成の一例を示すブロック図である。
【図３０】使用患者の通信端末８に表示される登録画面５１０の一例である。
【図３１】使用患者の通信端末８に表示されるメニュー画面５３０の一例である。
【図３２】使用患者の通信端末８に表示される医療情報の提供／参照画面３６０の一例である。
【図３３】使用患者の通信端末８に表示される医療情報の提供／参照画面３６０の一例である。
【図３４】使用患者の通信端末８に表示される医療情報の提供／参照画面３６０の一例である。
【図３５】使用患者の通信端末８に表示される医療情報の提供／参照画面３６０の一例である。
【発明を実施するための形態】
【００１７】
以下、本発明を実施するための形態について、複数の実施形態を例示して説明する。
【００１８】
＜第１実施形態＞
まず、第１実施形態の情報管理装置１について説明する。
【００１９】
〔全体構成〕
図１に示すように、情報管理装置１は、記録部の一例としての記憶装置３と、他の記録部の一例としての記憶装置４と、登録部の一例としての記憶装置５と、他の登録部の一例としての記憶装置６と、記憶装置３〜６のそれぞれと通信ケーブルを介して接続された制御部９と、を備えている。
【００２０】
記憶装置３〜６は、具体的には、情報を電子的に記録するメモリ、ハードディスク等の装置である。また、制御部９は、通信網７（ＷＡＮ：Ｗｉｄｅ  Ａｒｅａ  Ｎｅｔｗｏｒｋ）に接続されており、通信網７を介して複数の通信端末８に接続されている。
【００２１】
ここで、通信端末８とは、患者、各種医療機関などが保有するパーソナルコンピュータ、スマートフォン、タブレットなどの機器であって、通信網７を介して情報管理装置１の制御部９との間で情報（電子情報）の送受信ができる機器のことである。
【００２２】
なお、図１に示すように、情報管理装置１、通信網７および通信端末８により、情報管理システム２が構成される。
【００２３】
〔制御部〕
情報管理装置１の制御部９は、記憶装置３〜６のそれぞれの情報の流れを制御する装置である。具体的には、制御部９は、図３に示すように、コンピュータ１８を含んで構成されている。
【００２４】
コンピュータ１８は、ＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、入出力インタフェース（Ｉ／Ｏ）１８Ｅなどがバス１８Ｆを介して接続されている。
【００２５】
ＣＰＵ１８Ａは、制御部９の全体の動作を司るものである。ＲＯＭ１８Ｂは、制御部９の動作を制御する制御プログラム、記憶装置３〜６を動作させるための各種パラメータ（条件）等を予め記憶する記憶手段として機能するものである。
【００２６】
ＲＡＭ１８Ｃは、各種プログラムの実行時のワークエリア、情報の一時的な記憶等として用いられるものである。不揮発性メモリ１８Ｄは、制御部９の電源スイッチが切られても保持しなければならない各種情報を記憶するものである。
【００２７】
Ｉ／Ｏ１８Ｅには、制御部９に関する操作を行うための操作ボタン等（キーボードやマウス等）を含んで構成された操作部２０と、制御部９に関する表示を行う液晶ディスプレイ等で構成された表示部２２と、通信網７と、記憶装置３〜６等と、が接続されている。Ｉ／Ｏ１８Ｅと記憶装置３〜６とは、前記したように通信ケーブルを介して接続されている。
【００２８】
以下、患者による通信端末８の操作と共に、制御部９の機能、並びに記憶装置３〜６の構成および機能について説明する。
【００２９】
〔記憶装置６（他の登録部）〕
他の登録部の一例としての記憶装置６は、情報管理装置１を使用（利用）する患者の個人情報等を記録（記憶、登録）する装置である。
【００３０】
情報管理装置１を使用する患者は、自己の通信端末８により、通信網７を介して情報管理装置１の制御部９に接続（アクセス）する。そうすると、制御部９は、患者の通信端末８のタッチパネル等の画面に、図５に示す初期画面３００を表示させる。つまり、患者の通信端末８には、「初めての方」と表示されたアイコン３０１、「ログイン」と表示されたアイコン３０２等が表示される。
【００３１】
情報管理装置１に初めて接続した患者（以下、「初患者」と称す。）は、通信端末８に初期画面３００が表示された状態においてアイコン３０１を押す。そうすると、初患者の通信端末８は、アイコン３０１を押した（選択した）情報を、通信網７を介して制御部９に送信する。当該情報を受信した制御部９は、初患者の通信端末８に、図６に示す登録画面３１０を表示させる。
【００３２】
ここで、「押す」とは、スマートフォン等のタッチパネルをタッチペンまたは指でタップすること、パーソナルコンピュータに接続されたマウスでクリックすること等を含む概念であり、患者自らの意思により選択することを意味する。
【００３３】
なお、初患者の通信端末８に初期画面３００が表示された状態において、初患者がアイコン３０２を押すと、制御部９は、初患者の通信端末８に、図７に示すログイン画面３２０を表示させる。この場合、初患者は、情報管理装置１から提供されたＩＤ（ｉｄｅｎｔｉｆｉｃａｔｉｏｎ）およびパスワードを保有していないため、ログイン画面３２０の送信アイコン３２４を押して先に進む（図８に示すメニュー画面３３０を表示させる）ことができない。
【００３４】
このため、初患者は、ログイン画面３２０が表示された場合、戻るアイコン３２３を押して図５に示す初期画面３００を表示させた後、アイコン３０１を押して登録画面３１０を表示せなければならない。
【００３５】
初患者は、図６に示す登録画面３１０が通信端末８に表示された状態において、「氏名」「郵便番号」「住所」「電話番号」および「メール」等の表示の横にそれぞれ表示された複数のテキストボックス３１１に対し、氏名、住所等の個人情報を入力する。なお、個人情報とは、生存する個人に関する情報であって、氏名、生年月日、住所、電話番号等の記述により特定の個人を識別できる情報をいう。また、テキストボックスは、文字を入力する枠のことであり、タッチパネル、キーボード等を用いて任意の文字を枠内に入力、削除等できる。
【００３６】
初患者は、複数のテキストボックス３１１の全てに個人情報を入力した後、送信アイコン３１３を押す。そうすると、制御部９は、テキストボックス３１１に入力された全ての個人情報を記憶装置６に記録する。そして、制御部９は、記憶装置６に記録されたメールアドレス（登録画面３１０の「メール」横のテキストボックス３１１に入力されたメールアドレス）にＩＤおよびパスワードを送信する。さらに、制御部９は、初患者の通信端末８に、図７に示すログイン画面３２０を表示させる。
【００３７】
初患者は、ログイン画面３２０において、制御部９から送信（提供、付与）された自己のＩＤおよびパスワードをテキストボックス３２１および３２２に入力した後、送信アイコン３２４を押すと、情報管理装置１にログインできる。
【００３８】
このようにして、初患者は、情報管理装置１の使用が可能になる。つまり、情報管理装置１は、何人も使用できる装置ではなく、前記した操作（手順）により記憶装置６に個人情報を記録し、かつ、情報管理装置１の制御部９からＩＤおよびパスワードが提供された患者（以下、「使用患者」と称す。）のみが使用できる装置である。
【００３９】
なお、制御部９が使用患者に付与したＩＤおよびパスワードは、使用患者毎に異なっており、前記した個人情報と共に制御部９が記憶装置６に記録する。このため、使用患者は、自己のＩＤおよびパスワードを忘れた場合であっても、情報管理装置１の管理者に問い合わせる等の手段により、自己のＩＤおよびパスワードを再度入手することが可能である。
【００４０】
また、記憶装置６に記録された使用患者それぞれの個人情報、ＩＤおよびパスワードは、使用患者本人（当該ＩＤおよび当該パスワードを制御部９から提供された使用患者）および情報管理装置１の管理者のみが参照、変更等できる。換言すると、使用患者それぞれの個人情報、ＩＤおよびパスワードは、記憶装置６に記録されていない第三者が参照、変更等できないのは当然のこと、使用患者であっても他の使用患者（当該ＩＤおよび当該パスワードを制御部９から提供されていない使用患者）は参照、変更等できない。
【００４１】
次に、記憶装置６に記録された個人情報等の参照、変更について、説明する。
使用患者は、自己の通信端末８に図７に示すログイン画面３２０が表示された状態において、テキストボックス３２１に自己のＩＤを入力し、テキストボックス３２２に自己のパスワードを入力して、送信アイコン３２４を押す。そうすると、制御部９は、使用患者の通信端末８に、図８に示すメニュー画面３３０を表示させる。
【００４２】
その後、使用患者がアイコン３３３を押すと、制御部９は、記憶装置６に接続し、記憶装置６に記録された当該使用患者の個人情報等を読み込む。そして、制御部９は、当該使用患者の通信端末８に、図９に示す変更／参照画面３４０を表示させる。
【００４３】
つまり、図９に示すように、制御部９は、図６に示す登録画面３１０のそれぞれのテキストボックス３１１の中に、記憶装置６に接続して読み込んだ使用患者の個人情報を入力して通信端末８に表示させる。また、制御部９は、図６に示す登録画面３１０に、記憶装置６に接続して読み込んだ使用患者のＩＤおよびパスワードを追加したものを通信端末８に表示させる。
【００４４】
図９に示す変更／参照画面３４０が使用患者の通信端末８に表示された状態において、使用患者は、複数のテキストボックス３１１に入力された個人情報と、テキストボックス３１４に入力されたパスワードを変更できる。使用患者は、テキストボックス３１１の個人情報、および／またはテキストボックス３１４のパスワードを変更した後、送信アイコン３１３を押す。そうすると、制御部９は、記憶装置６に記録された当該使用患者の個人情報等に対し、テキストボックス３１１および３１４の情報（個人情報およびパスワード）を更新（上書き、オーバーライト）して記憶装置６に記録する。
【００４５】
なお、図９に示す変更／参照画面３４０が通信端末８に表示された状態において、使用患者が個人情報および／またはパスワードを変更しない場合は、使用患者が戻るアイコン３１２を押すことにより、図８に示すメニュー画面３３０を再表示させることができる。この場合は、制御部９は、変更／参照画面３４０のテキストボックス３１１の個人情報およびテキストボックス３１４のパスワードを記憶装置６に記録しない。
【００４６】
また、使用患者の通信端末８にメニュー画面３３０が表示された状態において（図８参照）、使用患者がアイコン３３４を押すと、ログアウトする。つまり、使用患者は、再度図７に示すログイン画面３２０からログインしないと、情報管理装置１を使用できない。
【００４７】
〔記憶装置４（他の記録部）〕
他の記録部としての記憶装置４は、使用患者がカルテ、治療記録、処方箋、投薬記録、レントゲン写真、人間ドッグでの検査結果、セカンドオピニオンなどの各種医療機関から得た医療情報を、使用患者毎に記録（記憶）する装置である。
【００４８】
記憶装置４に記録された医療情報は、記憶装置４に自己の医療情報を記録した使用患者本人のみが使用できる。ここで、使用とは、記憶装置４への医療情報の記録（記憶、書き込み、アップロード、削除等）および参照（画面表示、読み込み、ダウンロード等）のことをいう。
【００４９】
記憶装置４は、具体的には、図２に示すように、複数の領域（記憶領域、メモリ領域）に分割されている。１つの領域は、１人の使用患者のみが割り当てられ、当該１人の使用患者のみが使用できる。
【００５０】
つまり、使用患者ａが領域１１（領域Ａ）、使用患者ｂが領域１２（領域Ｂ）、使用患者ｃが領域１３（領域Ｃ）を使用している場合、使用患者ａは領域１１のみを使用でき、他の領域は使用できない。同様に、使用患者ｂは領域１２のみを使用できるが、他の領域は使用できず、使用患者ｃは領域１３のみを使用できるが、他の領域は使用できない。
【００５１】
次に、使用患者ａが自己の医療情報を記憶装置４に記録する場合の操作について説明する。使用患者ｂおよびｃ等の他の使用患者も同様の操作で自己の医療情報を記憶装置４に記録できる。
【００５２】
使用患者ａは、通信端末８を用いて制御部９に接続してログインすると、使用患者ａの通信端末８には、図８に示すメニュー画面３３０が表示される。その後、使用患者ａがアイコン３３１を押すと、制御部９は、使用患者ａの通信端末８に、図１０に示す記録／参照画面３５０を表示させる。
【００５３】
記録／参照画面３５０には、使用患者ａが記憶装置４の領域１１に新たに記録する自己の医療情報を入力（指定）するためのテキストボックス３５１、使用患者ａが記憶装置４の領域１１に記録済みの自己の医療情報を選択できるリストボックス３５２等が表示される。ここで、リストボックスとは、表示された複数の項目の中から１つの項目を選択するための枠のことである。
【００５４】
なお、図１０に示す記録／参照画面３５０においては、使用患者ａの３つの医療情報が表示されている。このことは、使用患者ａが当該記録／参照画面３５０を表示させた際に、既に、使用患者ａが記憶装置４に当該３つの医療情報を記録していたことを示している。
【００５５】
記録／参照画面３５０が使用患者ａの通信端末８に表示された状態において、使用患者ａが新たに自己の医療情報を記憶装置４の領域１１に記録する場合は、テキストボックス３５１に、当該新たな自己の医療情報を入力する。
【００５６】
テキストボックス３５１に入力する医療情報は、具体的には、ファイル名になる。例えば、使用患者ａは、ファイル名が「２０１６０７２２−カルテ−△△病院．ＰＤＦ」である新たな自己の医療情報を記憶装置４の領域１１に記録する場合、図１０に示すテキストボックス３５１に、当該ファイル名を入力した後（図１１参照）、送信アイコン３５４を押す。
【００５７】
そうすると、使用患者ａの通信端末８は、当該通信端末８のメモリ等に記録（記憶）されているファイル名が「２０１６０７２２−カルテ−△△病院．ＰＤＦ」である医療情報を、通信網７を介して制御部９に送信する。制御部９は、使用患者ａの通信端末８から送信された当該医療情報を受信すると、記憶装置４に記録する。
【００５８】
そして、制御部９は、図１２に示すように、使用患者ａの通信端末８に表示された記録／参照画面３５０を更新する。つまり、制御部９は、領域１１に記録された全ての医療情報をリストボックス３５２に表示すると共に、テキストボックス３５１内のファイル名を消去する。なお、使用患者ａは、継続して新たな自己の医療情報を記憶装置４の領域１１に記録する場合は、前記した操作（図１０〜図１２を用いて説明した操作）を繰り返す。
【００５９】
次に、使用患者ａが記憶装置４に記録された自己の医療情報を参照する場合の操作について説明する。
図１２に示す記録／参照画面３５０が使用患者ａの通信端末８に表示された状態において、使用患者ａは、ファイル名が「２０１６０６０６−投薬記録．ＤＯＣＸ」である医療情報を参照したい場合、リストボックス３５２に表示された当該ファイル名を押す（選択する）。
【００６０】
そうすると、図１３に示すように、制御部９は、使用患者ａが選択した医療情報が分かるように、リストボックス３５２内の当該ファイル名を白黒反転させて表示させる。その後、使用患者ａが送信アイコン３５４を押すと、使用患者ａの通信端末８において、選択されたファイル名が「２０１６０６０６−投薬記録．ＤＯＣＸ」である医療情報が開き、使用患者ａはその内容を参照することができる。なお、通信端末でファイルを開く技術は、周知慣用技術であるため、図示および詳細な説明は省略する。
【００６１】
ここで、医療情報のファイル名は任意に設定できるが、日付、概要、拡張子などの情報を表示するように統一するのが望ましい。例えば、前記したファイル名「２０１６０６０６−投薬記録．ＤＯＣＸ」は、「２０１６０６０６」が日付（２０１６年６月６日）であり、「投薬記録」がファイル内の情報の概要（短文表現）であり、「ＤＯＣＸ」が拡張子である。拡張子とは、ファイルの種類を特定するために、ファイル名につけられる文字列のことである。
【００６２】
なお、記憶装置４への医療情報の記録は、使用患者の医療情報を作成した医療機関が当該使用患者の同意等を得た上で行うこともできる。この場合は、当該使用患者の意思表示（同意、指示）により記憶装置４に当該使用患者の医療情報が記録されるため、当該使用患者本人による記録と見なすことができる。
【００６３】
また、同様に、記憶装置４からの医療情報の参照は、使用患者が治療等を受けている医療機関が当該使用患者の同意等を得た上で行うこともできる。この場合は、当該使用患者の意思表示（同意、指示）により記憶装置４から当該使用患者の医療情報が参照されるため、当該使用患者本人による参照と見なすことができる。
【００６４】
前記した医療機関に対する使用患者の意思表示（医療機関が患者の同意などを得る手段）は、具体的には、医療機関の通信端末８において使用患者自らが自己のＩＤおよびパスワードを入力する、使用患者が所有するスマートフォン、携帯電話などの通信端末８を用いて、医療機関の通信端末８に対し、同意データを送信する等の手段により行う。
【００６５】
〔記憶装置３（記録部）〕
記録部の一例としての記憶装置３は、記憶装置４に記録された医療情報を複写して記録（記憶）する装置である。後述するが、制御部９は、記憶装置３に記録された全ての使用患者の医療情報を、全ての特定患者に提供する。このため、記憶装置３は、特定患者に提供するための医療情報を記録するための装置であるといえる。
【００６６】
前記したように、使用患者ａが記憶装置４の領域１１を使用し、使用患者ｂが記憶装置４の領域１２を使用し、使用患者ｃが記憶装置４の領域１３を使用している場合を想定して、記憶装置３の機能を具体的に説明する。
【００６７】
この場合、使用患者ａは、自らの意思表示により、記憶装置４の領域１１に記録されている自己の医療情報のみを記憶装置３に複写して記録できる。また、同様に、使用患者ｂは、自らの意思表示により、記憶装置４の自己の医療情報のみを記憶装置３に複写して記録できる。同様に、使用患者ｃは、記憶装置４の自己の医療情報のみを記憶装置３に複写して記録できる。つまり、記憶装置４に記憶されている使用患者の医療情報は、使用患者本人の意思のみに基づいて記憶装置３に複写して記録できる。
【００６８】
言うまでも無いが、前記の場合、使用患者ａは、記憶装置４の領域１２の使用患者ｂの医療情報および領域１３の使用患者ｃの医療情報を記憶装置３に複写して記録できない。同様に、使用患者ｂは記憶装置４の他の使用患者（使用患者ａ、ｃ等）の医療情報を記憶装置３に複写して記録できず、使用患者ｃは記憶装置４の他の使用患者（使用患者ａ、ｂ等）の医療情報を記憶装置３に複写して記録できない。
【００６９】
記憶装置４に記録された自己の医療情報の記憶装置３への記録は、使用患者の意思表示に基づいて制御部９が行う。
次に、使用患者ａが自己の意思表示により記憶装置４に記録された自己の医療情報を記憶装置３に複写して記録する場合の操作について説明する。使用患者ｂおよびｃ等の他の使用患者も同様の操作で自己の医療情報を記憶装置３に記録できる。
【００７０】
図８に示すメニュー画面３３０が使用患者ａの通信端末８に表示された状態において、使用患者ａがアイコン３３２を押すと、制御部９は、使用患者ａの通信端末８に、図１４に示す提供／参照画面３６０を表示させる。
【００７１】
提供／参照画面３６０には、使用患者ａが記憶装置４の領域１１に記録した自己の医療情報（図１４においては４件）を参照または選択（指定）するためのリストボックス３６１と、使用患者ａが記憶装置３に複写して記録済みの自己の医療情報（図１４おいては無し）を参照または選択できるリストボックス３６３と、使用患者ａが記憶装置３に複写して記録済みの自己の医療情報の数を表示する表示ボックス３６４（図１４においては０件）等が表示される。
【００７２】
ここで、表示ボックスとは、情報を表示する枠のことである。使用患者は、表示ボックス内に表示された情報を参照のみすることができ、当該情報の変更および削除ができない。
【００７３】
図１４の提供／参照画面３６０は、使用患者ａが記憶装置４に記録した４件の自己の医療情報の全てを記憶装置３に複写して記録していない場合に、使用患者ａの通信端末８に表示される画面を示している。このことは、リストボックス３６３に医療情報のファイル名の表示が無いことと、表示ボックス３６４の数字が０（ゼロ）であることから使用患者ａが把握（確認）できる。
【００７４】
この場合において、使用患者ａがリストボックス３６１に表示されたファイル名が「２０１６０５２３−処方箋−●●●医院．ＰＤＦ」である自己の医療情報を、記憶装置３に複写して記録する場合の操作について説明する。
【００７５】
まず、使用患者ａは、リストボックス３６１の当該ファイル名を押す（選択する）。そうすると、図１５に示すように、制御部９は、リストボックス３６１内の当該ファイル名を白黒反転させて表示させる。このため、使用患者ａは、当該ファイル名を押した（選択した）ことを把握できる。
【００７６】
その後、使用患者ａが提供／参照画面３６０における送信アイコン３６８を押す。そうすると、使用患者ａの通信端末８は、使用患者ａが記憶装置４の自己の領域１１に記録されたファイル名が「２０１６０５２３−処方箋−●●●医院．ＰＤＦ」である医療情報を記憶装置３に複写して記録する指示を出したという内容の指示情報を、通信網７を介して制御部９に送信する。
【００７７】
制御部９は、当該指示情報を受信した後、記憶装置４の領域１１から当該医療情報を読み込み、ＲＡＭ１８Ｃに記録する（図３参照）。そして、制御部９は、ＲＯＭ１８Ｂに記録されているテキスト変換プログラム（ソフトウエア）を用いて、ＲＡＭ１８Ｃに記録した当該医療情報のテキスト変換処理を行う。ここで、テキスト変換処理とは、スキャナ等で読み込んだ画像情報等を文字情報（文字データ）だけで構成された情報に変える処理のことである。
【００７８】
制御部９は、当該テキスト変換処理後の医療情報（以下、「テキスト化医療情報」と称す。）を、当該医療情報（ファイル名が「２０１６０５２３−処方箋−●●●医院．ＰＤＦ」である医療情報）に紐付けたテキスト化医療情報付き医療情報をＲＡＭ１８Ｃに記録する。
【００７９】
ここで、紐付けは、公知の手段により行う。例えば、ファイル名が「２０１６０５２３−処方箋−●●●医院．ＰＤＦ」である医療情報をテキスト変換処理した後、ファイル名が「２０１６０５２３−処方箋−●●●医院．ＴＸＴ」であるテキスト化医療情報を制御部９が新たに作成し、これら２つのファイルを常に一体として取り扱っても良い。
【００８０】
この場合、使用患者および特定患者は、ファイル名が「２０１６０５２３−処方箋−●●●医院．ＰＤＦ」である医療情報の１つのファイル名しか参照できず、ファイル名が「２０１６０５２３−処方箋−●●●医院．ＴＸＴ」であるテキスト化医療情報は、隠しファイルとして取り扱われる（使用患者および特定患者は、ファイル名を参照できない）。ここで、隠しファイルとは、パーソナルコンピュータ等でファイルを一覧表示した時、そのままでは表示されないファイルのことである。
【００８１】
また、この場合、これら２つのファイルは常に一体として取り扱われるので、使用患者ａが記憶装置３からファイル名が「２０１６０５２３−処方箋−●●●医院．ＰＤＦ」である医療情報を削除すると、ファイル名が「２０１６０５２３−処方箋−●●●医院．ＴＸＴ」であるテキスト化医療情報も自動的に削除される。
【００８２】
なお、この場合、テキスト化医療情報付き医療情報は、ファイル名が「２０１６０５２３−処方箋−●●●医院．ＰＤＦ」である医療情報と、当該医療情報に紐付けされたファイル名が「２０１６０５２３−処方箋−●●●医院．ＴＸＴ」であるテキスト化医療情報の２つのファイルから構成される。
【００８３】
また、紐付けは、上記以外の公知の手段を用いても良い。例えば、制御部９は、前記したテキスト化医療情報の内容を、ファイル名が「２０１６０５２３−処方箋−●●●医院．ＰＤＦ」に持たせて（付加させて）、１つのファイルとして取り扱っても良い。この場合、テキスト化医療情報付き医療情報は、ファイル名が「２０１６０５２３−処方箋−●●●医院．ＰＤＦ」である１つのファイルとなる。
【００８４】
制御部９は、ＲＡＭ１８Ｃに記録したテキスト化医療情報付き医療情報を、記憶装置３に記録した後、ＲＡＭ１８Ｃから当該医療情報に関係する情報を全て削除する。
【００８５】
制御部９が記憶装置４に記録された医療情報を記憶装置３に複写して記録するに当たり、当該医療情報を、テキスト化医療情報付き医療情報にする理由は、特定患者による医療情報の検索を容易にするためである。特定患者による医療情報の検索については後述する。
【００８６】
なお、前記したように、制御部９がＲＡＭ１８Ｃに一時的に記録した使用患者ａの医療情報の加工（テキスト変換処理）を行う際、当該医療情報に記載された使用患者ａの氏名等の個人情報を隠す処理を行うことが望ましい。ここで、個人情報を隠す処理とは、個人情報のマスク処理と、テキスト化医療情報中の当該個人情報の削除処理と、を併せて行うことである。マスク処理とは、スキャナ等で読み込んだ画像情報の特定部分（個人情報の記載）を消去する処理のことである。削除処理とは、文字情報から、該当する文字情報（個人情報に関する文字情報）を削除する処理のことである。
【００８７】
制御部９は、記憶装置３に記録された全ての医療情報を特定患者に提供する。換言すると、特定患者は、記憶装置３に記録された全ての医療情報を参照できる。このため、記憶装置３に記録された医療情報に個人情報が含まれていると、特定患者は、当該個人情報も参照できることになる。つまり、記憶装置３に記録された医療情報から個人情報が流出する可能性がある。
【００８８】
このため、使用患者ａの医療情報を記憶装置３に記録するに当たり、当該医療情報に記載された使用患者ａの個人情報を隠す処理（マスク処理および削除処理）により参照等できなくすることにより、使用患者ａの個人情報が記憶装置３から流出することを抑制できる。
【００８９】
次に、医療情報のマスク処理および削除処理について説明する。
マスク処理は、制御部９のＲＯＭ１８Ｂに記録されているマスク処理プログラム（ソフトウエア）を用いて制御部９が行う。マスク処理は、公知の手段を用いて行われる。
【００９０】
例えば、予め、患者の医療情報が記載されるカルテ、処方箋などの定型フォームを医療機関毎に入手し、当該定型フォームにおいて患者の個人情報が記載される部分をマスク（黒塗り）したテンプレートを医療機関毎に準備する。そして、当該テンプレートを制御部９の不揮発性メモリ１３Ｄに記録しておく。
【００９１】
制御部９は、使用患者ａの医療情報をＲＡＭ１８Ｃに記録すると、前記したように、まず、テキスト変換処理を行う。そうすると、制御部９は、使用患者ａのテキスト化医療情報を作成するため、当該テキスト化医療情報から医療機関名（上記の例では「●●●医院」）の文字情報（キーワード）を抽出できる。
【００９２】
そして、制御部９は、抽出した当該医療機関名（「●●●医院」）のテンプレートを不揮発性メモリ１３Ｄから読み込む。次いで、制御部９は、読み込んだ当該テンプレートと、医療情報（ファイル名が「２０１６０５２３−処方箋−●●●医院．ＰＤＦ」である医療情報）と、を用いて、当該医療情報における使用患者の個人情報の部分をマスク（黒塗り）する。そして、制御部９は、当該マスク処理後の医療情報をＲＡＭ１８Ｃに記録（上書き、オーバーライト）する。換言すると、ＲＡＭ１８Ｃに記録されているファイル名が「２０１６０５２３−処方箋−●●●医院．ＰＤＦ」である医療情報は、使用患者ａの個人情報のみがマスクされた医療情報のみとなる。
【００９３】
また、制御部９は、使用患者ａのテキスト化医療情報から氏名、住所、メールアドレス等の使用患者ａの個人情報を抽出し、当該個人情報を当該テキスト化医療情報から削除する削除処理を行う。
【００９４】
この削除処理は、他の方法を用いても良い。例えば、制御部９は、記憶装置６に記録された使用患者ａの個人情報を読み込み、ＲＡＭ１８Ｃに記録する。その後、制御部９は、ＲＯＭ１８Ｂに記録されている情報比較プログラム（ソフトウエア）を用いて、ＲＡＭ１８Ｃに記録した当該使用患者ａの個人情報と、ＲＡＭ１８Ｃに記録した使用患者ａのテキスト化医療情報と、を比較する。当該比較により一致した情報が使用患者ａの個人情報であるため、制御部９は、使用患者ａのテキスト化医療情報から当該一致情報を削除する削除処理を行う。
【００９５】
制御部９は、前記した削除処理を行った後、当該削除処理後のテキスト化医療情報を、ＲＡＭ１８Ｃに記録（上書き、オーバーライト）する。換言すると、ＲＡＭ１８Ｃに記録されているテキスト化医療情報は、使用患者ａの個人情報のみが削除されたテキスト化医療情報のみとなる。
【００９６】
そして、制御部９は、ＲＡＭ１８Ｃに記録された使用患者ａのマスク処理後の医療情報と、削除処理後のテキスト化医療情報と、を紐付け（関連付け）し、当該紐付けした両情報を記憶装置３に記録する。その後、制御部９は、ＲＡＭ１８Ｃに記録された両情報を削除する。
【００９７】
以上、記載したように、制御部９は、ＲＡＭ１８Ｃに一時的に記録した使用患者の医療情報について、テキスト変換処理を行った後、マスク処理および削除処理を行い、これら３つの処理をした医療情報（マスク処理後の医療情報と、削除処理後のテキスト化医療情報を紐付けした医療情報）を記憶装置３に記録するのが望ましい。なお、前記では、個人情報を隠す処理として、マスク処理および削除処理を行ったものを示したが、マスク処理のみ行っても良い。
【００９８】
制御部９は、記憶装置４に記録された使用患者ａの医療情報を、記憶装置３に複写して記録すると、使用患者ａの通信端末８に表示されていた図１５に示す提供／参照画面３６０を、図１６に示す提供／参照画面３６０に更新する。
【００９９】
つまり、図１６に示すように、制御部９は、リストボックス３６１の中に表示された当該医療情報のファイル名の白黒反転を解除すると共に、当該医療情報のファイル名の先頭のチェックボックス３６２の色を白黒反転させる。
【０１００】
さらに、制御部９は、記憶装置３に複写して記録済みの使用患者ａの医療情報をリストボックス３６３に表示すると共に、記憶装置３に複写して記録済みの医療情報の件数を表示ボックス３６４に表示させる。これらにより、使用患者ａは、記憶装置４に記録された自己の複数の医療情報の内、記憶装置３に複写して記録済みの自己の医療情報のファイル名と合計件数を把握できる。
【０１０１】
前記した使用患者ａの意思表示は、リストボックス３６１の中から複写して記録する自己の医療情報のファイル名を押す行為（ファイル名の選択）およびその後の送信アイコン３６８を押す行為のことである。
【０１０２】
使用患者ａは、継続して記憶装置４の領域１１に記録された自己の医療情報を、記憶装置３に記録する場合、前記した操作（図１４〜図１６を用いて説明した操作）を繰り返す。図１７は、使用患者ａが記憶装置４の領域１１に記録された全て（４件）の医療情報を記憶装置３に記録した場合に使用患者ａの通信端末８に表示される提供／参照画面３６０を示したものである。
【０１０３】
なお、使用患者ａは、リストボックス３６１の中から医療情報のファイル名を押した後（図１５参照）、参照アイコン３６６を押すことにより、当該ファイルを開いてその内容を自己の通信端末８に表示させることができる。つまり、使用患者ａは、必要に応じて、送信アイコン３６８を押す前に（記憶装置３に複写して記録する前に）、リストボックス３６１において押した医療情報の内容を確認できる。
【０１０４】
また、使用患者ａは、記憶装置３に複写して記録した自己の医療情報を削除することができる。医療情報の削除について、図１７〜１９を用いて説明する。
【０１０５】
図１７に示す提供／参照画面３６０は、前記した通り、使用患者ａが記憶装置４の領域１１に記録した全て（４件）の自己の医療情報を記憶装置３に複写して記録した場合において、使用患者ａの通信端末８に表示される画面である。
【０１０６】
この場合において、使用患者ａは、リストボックス３６３内の１件の医療情報（ファイル名が「２０１６０７２２−カルテ−△△病院．ＰＤＦ」である医療情報）を押すと、制御部９は、リストボックス３６３内の当該医療情報のファイル名を白黒反転させる（図１８参照）。
【０１０７】
その後、使用患者ａが削除アイコン３６５を押すと、制御部９は、記憶装置３に複写して記録された使用患者ａの４件の医療情報の中から当該１件の医療情報を削除すると共に、使用患者ａの通信端末８の画面を更新する（図１９参照）。
【０１０８】
つまり、使用患者ａの医療情報に関し、記憶装置３には、削除された当該１件の医療情報以外の３件の医療情報が記録される。このため、図１９に示すように、使用患者ａの通信端末８における提供／参照画面３６０のリストボックス３６３には、記憶装置３に記録された３件のファイル名が表示され、リストボックス３６１内の当該３件のチェックボックスのみがチェックされた表示となり、表示ボックス３６４には記憶装置３に複写して記録されている医療情報の件数として「３」が表示される。
【０１０９】
なお、使用患者ａは、図１８に示す提供／参照画面３６０において、リストボックス３６３の複数の医療情報の中から任意の医療情報を押して（選択して）医療情報のファイル名を白黒反転させた後、参照アイコン３６６を押すと、その内容を確認できる。つまり、使用患者ａは、削除アイコン３６５を押す（削除を実行する）前に、記憶装置３に複写して記録した複数の医療情報の中から削除することを目的として選択した医療情報の内容を確認することができる。
【０１１０】
また、図２０は、使用患者ｂが記憶装置４の領域１２に記録した自己の医療情報（１００件）の中から４０件を記憶装置３に複写して記録した場合に、使用患者ｂの通信端末８に表示される提供／参照画面３６０を示している。
【０１１１】
リストボックス３６１および３６３は、枠の大きさが限られているため、すべての医療情報の表示ができない。このため、リストボックス３６１および３６３に表示できない多くの医療情報がある場合は、図２０に示すように、リストボックス３６１および３６３の右端にスクロールバー３７０が表示される。
【０１１２】
ここで、スクロールバーとは、枠部分に表示される棒状の表示であり、つまみを上下に動かすと表示がスクロールするものである。つまみとは、図２０のスクロールバー３７０における黒色矩形の表示のことである。使用患者ｂは、このつまみを押しつつ上下に動かすことにより、記憶装置３または４に記録された所望の自己の医療情報を短時間で見つけることができる。
【０１１３】
また、記憶装置４の医療情報の記憶装置３への記録は、使用患者の医療情報を過去に作成した医療機関が、当該医療機関の通信端末８を用いて、当該使用患者の同意等を得た上で行うことができる。この場合は、当該使用患者の意思表示（同意、指示）により、記憶装置４に記録された医療情報が記憶装置３に複写して記録されるため、当該使用患者本人による記録と見なすことができる。
【０１１４】
また、記憶装置４の医療情報の記憶装置３への記録は、使用患者の医療情報を新たに作成した医療機関が、当該医療機関の通信端末８を用いて、当該使用患者の同意等を得た上で、記憶装置４への記録と共にすることもできる。この場合は、使用患者の意思表示（同意、指示）により、当該医療機関が記憶装置４への新たな医療情報の記録と、記憶装置４に記録された当該新たな医療情報の記憶装置３への記録と、を行なうため、当該使用患者本人による記録および複写して記録と見なすことができる。
【０１１５】
前記した医療機関に対する使用患者の意思表示（医療機関が使用患者の同意等を得る手段）は、具体的には、医療機関の通信端末８において使用患者自らがＩＤとパスワードを入力する、使用患者が所有するスマートフォンまたは携帯電話などの通信端末８を用いて医療機関の通信端末８に同意データを送信する等の手段により行う。
【０１１６】
〔記憶装置５（登録部）〕
制御部９は、記憶装置３に記録された全ての使用患者の医療情報を、全ての特定患者に提供する。登録部の一例としての記憶装置５は、この特定患者の情報を記録する装置である。
【０１１７】
ここで、特定患者とは、記憶装置３に自己の医療情報を記録した使用患者の内、記憶装置３に記録した当該自己の医療情報の数（件数）が予め定められた数（件数）以上であるという登録条件を充足する使用患者のことである。
【０１１８】
記憶装置６に個人情報等が記録された使用患者の内、記憶装置３に自己の医療情報を記録した使用患者は、当該自己の医療情報を特定患者（他の患者）に提供する（自己の医療情報を特定患者の利用に供する）献身的な使用患者である。この献身的な使用患者の中でも、記憶装置３に記録した自己の医療情報の数が予め定められた数以上である使用患者が特定患者であるため、特定患者は、他の患者への献身度がより高い献身的な使用患者であると言える。
【０１１９】
制御部９が予め定められた件数以上の自己の医療情報を記憶装置３に複写して記録した使用患者のみを特定患者として記憶装置５に記録する理由は、特定患者間の公平を失することを抑制するためである。
【０１２０】
例えば、記憶装置４に１００件の自己の医療情報を記録している使用患者ｄおよびｅがいたとする。そして、使用患者ｄは当該１００件の自己の医療情報の内の１件のみを記憶装置３に複写して記録し、使用患者ｅは当該１００件の自己の医療情報の全てを記憶装置３に複写して記録したとする。
【０１２１】
この場合、使用患者ｄおよびｅの両者を特定患者として記憶装置５に記録した場合、特定患者ｄおよびｅは、他の特定患者に提供する自己の医療情報の数が大きく相違する（他の特定患者への献身度が大きく相違する）にも拘わらず、記憶装置３に記録された全ての医療情報を参照できるという同一の利益を得る。これは、自己の医療情報を提供し合う特定患者間の公平を失することになる。
【０１２２】
換言すると、使用患者ｄは、自己の医療情報を１件しか提供していないにも拘わらず、自己の医療情報を１００件提供した使用患者ｅと同じ利益を得ることになるため、不公平であると言える。また、医療情報は、自己の病気に似た病気を治療する特定の患者（例えば、特定患者ｅ）の複数の当該医療情報を、時間の経過と共に見ることにより、自己の病気の治療の参考にできる場合が多いと考えられる。このため、使用患者ｄのような提供する自己の医療情報が極端に少ない使用患者ばかりが特定患者になると、記憶装置３に記録された医療情報を参照する価値（意味）が減じることになる。
【０１２３】
そこで、制御部９は、記憶装置３に複写して記録する自己の医療情報が予め定められた件数（例えば、３０件）以上であるという登録条件を充足する使用患者のみを特定患者として記憶装置５に記録する。登録条件である予め定められた件数は、制御部９のＲＯＭ１８Ｂまたは不揮発性メモリ１８Ｄに記録される（図３参照）。
【０１２４】
前記した登録条件の充足／不充足により変わる使用患者の利益（効果）は、記憶装置５に自己の情報が記録されて特定患者になるか否かであり、これは、記憶装置３に複写して記録された全ての医療情報を参照できるか否かである。
【０１２５】
このため、純粋に、自己の医療情報を他の患者の治療等の参考のために役立てることのみを考え、他の患者の医療情報の提供を求めない使用患者（以下、「純献身的患者」と称す。）は、件数に拘わらず（件数を気にすることなく）、記憶装置４に記録された自己の医療情報を、記憶装置３に複写して記録することができる。
【０１２６】
この場合、複写して記録した自己の医療情報が予め定められた件数を超えると、制御部９は、自動的に純献身的患者を特定患者として記憶装置５に記録する。しかし、純献身的患者は、記憶装置３の医療情報の提供（参照）を求めていないため、記憶装置３内の医療情報を参照しないという行為により、前記した利益を自らの意思で放棄できる。当然、純献身的患者は、記憶装置３の医療情報を参照しても構わない（この場合、純献身的患者ではなくなる）。
【０１２７】
なお、制御部９は、特定患者が前記した登録条件を事後的に満たさなくなった場合、当該特定患者の情報を記憶装置５から削除する（記憶装置５の登録を抹消する）。具体的には、特定患者として記憶装置５に記録された使用患者が、その後、記憶装置３に記録された自己の医療情報を削除した場合であって、記憶装置３に記録された自己の医療情報の数が予め定められた件数（例えば、３０件）よりも少ない件数（例えば、２９件）になった場合である。
【０１２８】
この場合、特定患者ではなくなった使用患者の当該２９件の医療情報は、記憶装置３に記録されているため、全ての特定患者が参照できる。しかし、当該２９件の医療情報の持ち主である当該使用患者は、記憶装置３に記録された当該２９件の自己の医療情報のみ参照できるが、記憶装置３に記録されたその他の医療情報の参照はできない。換言すると、制御部９は、当該使用患者の通信端末８の提供／参照画面３６０に参照２アイコン３６９を表示させない。つまり、制御部９は、当該使用患者に対し、これまで提供していた記憶装置３に記録されているすべての医療情報の提供をしない（停止する）。
【０１２９】
なお、当該使用患者は、特定患者ではなくなったことに気が付き、その後、記憶装置４に記録された１件の自己の医療情報を記憶装置３に複写して記録し、記憶装置３に記録した自己の医療情報の数が３０件になった場合、再度特定患者になることは言うまでも無い。
【０１３０】
前記した登録条件の説明では、予め定められた件数を３０件に設定したが、これに限定するものではない。予め定められた件数は、制御部９の操作部２０および表示部２２を用いて情報管理装置１の管理者が任意に設定してＲＯＭ１８Ｂまたは不揮発性メモリ１８Ｄに記憶でき、特定患者間の公平を失することがない範囲の数字であれば、２０件であっても５０件であっても１００件であっても良い。
【０１３１】
次に、記憶装置５の機能について、具体的に説明する。すなわち、使用患者ａが記憶装置４の領域１１を利用し、使用患者ｂが記憶装置４の領域１２を使用し、使用患者cが記憶装置４の領域１３を使用しているとする。
【０１３２】
そして、使用患者ａは、自己の医療情報を特定患者に提供することを希望し、記憶装置４の領域１１内の自己の医療情報（４件）の中から１件の医療情報を記憶装置３に複写して記録しているとする（図１６参照）。また、使用患者ｂは、自己の医療情報を特定患者に提供することを希望し、記憶装置４の領域１２内の自己の医療情報（１００件）の中から４０件の医療情報を記憶装置３に複写して記録しているとする（図２０参照）。また、使用患者cは自己の医療情報を特定患者に提供することを希望していないとする。
【０１３３】
この場合、使用患者cは、記憶装置５に記録されない。つまり、使用患者cは、自己の通信端末８を用いて、記憶装置４の領域１３内の自己の医療情報のみにアクセスすることにより情報管理装置１を使用できる。言うまでも無いが、使用患者ｃは、記憶装置５に記録された特定患者ではないため、記憶装置３に記録された医療情報を参照できない。
【０１３４】
また、使用患者ａは、記憶装置３に自己の医療情報を複写して記録しているが、記憶装置３に複写して記録した件数が予め定められた件数（例えば、３０件）よりも少ない１件である。このため、制御部９は、使用患者ｃと同様、使用患者ａを記憶装置５に記録しない。言うまでも無いが、使用患者ａは、記憶装置５に記録された特定患者ではないため、記憶装置３に記録された医療情報の中で、自己の医療情報の１件のみを参照でき、他の使用患者の医療情報を参照できない（図１６参照）。
【０１３５】
また、使用患者ｂは、記憶装置３に自己の医療情報を複写して記録し、かつ、記憶装置３に複写して記録した件数が予め定められた件数（例えば、３０件）以上である４０件である。このため、制御部９は、使用患者ｂの情報を記憶装置５に記録する。つまり、使用患者ｂは、特定患者であるため、記憶装置３に記録された全ての使用患者の全ての医療記録を参照できる。
【０１３６】
なお、記憶装置５に記録する特定患者の情報は、氏名、電話番号、患者番号など、使用患者を特定できる情報であれば、情報の種類は問わない。例えば、記憶装置５に記録する特定患者の情報は、記憶装置６に記録された使用患者の個人情報を複写して記録しても良い。
【０１３７】
この場合、使用患者ａおよびｃは特定患者ではないため、その個人情報は、記憶装置６に記録されるが、記憶装置５に記録されない。使用患者ｂは特定患者であるため、その個人情報は、記憶装置６に記録され、かつ、記憶装置５に複写して記録される。
【０１３８】
制御部９は、特定患者に対して、記憶装置３に記録された全ての医療情報を提供する。換言すると、特定患者は、制御部９により、記憶装置３に記録された全ての医療情報の参照（画面表示、読み込み、ダウンロード等）が可能になる。なお、特定患者は、記憶装置３に記録された個々の医療情報に対してコメントの追記など、新たな情報の追加はできない。
【０１３９】
制御部９による特定患者への医療情報の提供は、特定患者の通信端末８を用いて行われる。制御部９による特定患者への医療情報の提供について、特定患者である使用患者ｂ（以下、「特定患者ｂ」と称す。）の通信端末８に表示される画面の一例を用いて具体的に説明する。
【０１４０】
特定患者ｂは、情報管理装置１にログインし、自己の通信端末８表示させたメニュー画面３３０において（図８参照）、アイコン３３２を押す。そうすると、制御部９は、記憶装置５に接続し、特定患者ｂの情報が記憶装置５に記録されているか否かを確認する。そして、制御部９は、記憶装置５に特定患者ｂの情報を確認すると、図２０に示すように、特定患者ｂの通信端末８の提供／参照画面３６０に、参照２アイコン３６９を表示させる。
【０１４１】
なお、図１６および図１９に示すように、制御部９は、特定患者に該当しない使用患者の提供／参照画面３６０に、参照２アイコン３６９を表示させない。このため、特定患者に該当しない使用患者は、参照２アイコン３６９を押して、その先（後述する図２１〜２５の提供／参照２画面の表示）に進むことができない。
【０１４２】
換言すると、図１６および図１９に示すように、特定患者に該当しない使用患者は、記憶装置３に記録された医療情報に関し、提供／参照画面３６０のリストボックス３６３に表示された自己の医療情報のみ参照および削除ができるが、他の医療情報の参照はできない。
【０１４３】
特定患者ｂは、記憶装置３に記録された医療情報を参照する場合、自己の通信端末８の提供／参照画面３６０に表示された参照２アイコン３６９を押す（図２０参照）。そうすると、制御部９は、特定患者ｂの通信端末８に、図２１に示す提供／参照２画面３８０を表示させる。
【０１４４】
特定患者ｂは、提供／参照２画面３８０を用いることにより、記憶装置３に記録された複数の医療情報の中から、所望の医療情報を検索（サーチ）して、自己の通信端末８に表示させることができる。
【０１４５】
図２１に示すように、提供／参照２画面３８０には、検索範囲を選択するためのチェックボックス３８１と、検索式を入力するためのテキストボックス３８２と、ヒット件数を表示するための表示ボックス３８３と、検索式によりヒットした医療情報を表示するためのリストボックス３８４と、参照可能件数を表示するための表示ボックス３８５等が表示される。
【０１４６】
検索範囲は、特定患者がテキストボックス３８２に入力した検索式を用いて検索する医療情報の範囲を指定するものである。検索範囲は、チェックボックス３８１のチェックの有無により指定され、特定患者は、検索前に少なくとも１つのチェックボックス３８１にチェックを入れる。
【０１４７】
また、参照可能件数の表示ボックス３８５には、特定患者が指定した検索範囲に基づいて、特定患者が参照できる医療情報の最大件数が表示される。図２１においては、検索範囲のチェックボックス３８１として、医療情報と、医療機関情報の２つがあり、その両方にチェックが入れられている。このため、検索範囲は、医療情報および医療機関情報であり、その合計件数である１４５７６２５件が表示ボックス３８５に表示される。
【０１４８】
換言すると、特定患者ｂは、１４５７６２５件の医療情報および医療機関情報の全てを参照することができる。なお、医療機関情報は、各種医療機関（後述する登録医療機関）が作成し、記憶装置３に記録した医療情報のことであり、その詳細は後述する。
【０１４９】
また、図２２においては、医療情報のチェックボックス３８１にチェックが入れられており、医療機関情報のチェックボックス３８１のチェックが外されている。このため、検索範囲は、医療情報のみとなるため、その件数である１００３７５０件が表示ボックス３８５に表示される。換言すると、特定患者ｂは、１００３７５０件の医療情報の全てを参照することができる。
【０１５０】
図示は省略するが、特定患者ｂが医療情報のチェックボックス３８１のチェックを外し、医療機関情報のチェックボックス３８１のチェックを入れた場合、検索範囲は、医療機関情報のみとなるため、その件数である４５３８７５（＝１４５７６２５−１００３７５０）が表示ボックス３８５に表示される。換言すると、この場合、特定患者ｂは、４５３８７５件の医療機関情報の全てを参照することができる。
【０１５１】
このように、特定患者は、検索範囲の指定（チェックボックスの選択）により、検索式を用いて所望の医療情報および／または医療機関情報をヒットさせる医療情報の範囲を指定することができる。なお、表示ボックス３８５に表示される件数は、特定患者がチェックボックス３８１にチェックを入れた時点の件数であり、この件数は、時々刻々と変化する。
【０１５２】
テキストボックス３８２には、特定患者が所望の医療情報および／または医療機関情報を得るための検索式を入力する。図２２に示す提供／参照２画面において、特定患者がテキストボックス３８２に「ＫＷ＝（胃がん＋胃ガン＋胃癌）」の検索式を入力した後、送信アイコン３８８を押すと、制御部９は、記憶装置３に記録された医療情報の中から、当該検索式を充足する医療情報を検索する（図２３参照）。
【０１５３】
ここで、「ＫＷ」とはキーワード（Ｋｅｙ  Ｗｏｒｄ）のことであり、「＋」は論理和のことである。つまり、「ＫＷ＝（胃がん＋胃ガン＋胃癌）」という検索式は、記憶装置３に記録された医療情報の中から、「胃がん」、「胃ガン」および「胃癌」の少なくとも１つのキーワードが記載されている医療情報を検索する（ヒットさせる）ことを制御部９に命じることを意味している。
【０１５４】
制御部９は、検索した結果である医療情報のヒット件数である２２５３４件を、表示ボックス３８３に表示させる。また、制御部９は、ヒットした医療情報および医療機関情報のファイル名を、リストボックス３８４に表示させる。なお、制御部９は、リストボックス３８４にスクロールバー３８９を表示し、特定患者ｂによる所望の医療情報等の参照を容易にする（図２３参照）。
【０１５５】
特定患者ｂは、リストボックス３８４の中から参照したい医療情報を見つけたときは、当該医療情報を押す。そうすると、制御部９は、当該医療情報のファイル名を白黒反転させる（図２４参照）。その後、特定患者ｂが参照アイコン３８６を押すと、制御部９は、当該医療情報のファイルを開いて、特定患者ｂの通信端末８に表示させる（図示省略）。
【０１５６】
例えば、図２４においては、特定患者ｂは「２００００１１５−レントゲン−●●●医院（０００３６）ＰＤＦ」という医療情報を選択しているので、特定患者ｂが参照アイコン３８６を押すと、特定患者ｂの通信端末８には、胃癌の使用患者（患者番号０００３６）のレントゲン写真が表示される。
【０１５７】
なお、図２３および２４等に示すように、リストボックス３８４に表示される医療情報のファイル名には、患者番号を示す５桁の数字が追加される。ここで、患者番号とは、記憶装置３に自己の医療情報を記録した全ての使用患者に付与される通し番号であり、１人の使用患者に１つの患者番号が付与される。患者番号は、記憶装置３に記録された医療情報を使用する特定患者が当該医療情報を使用し易くするために、制御部９が付与する。
【０１５８】
図２３および２４等に示すように、特定患者ｂは、リストボックス３８４に表示される２２５３４件の全ての医療情報を参照できる。言うまでも無いが、特定患者ｂは、テキストボックス３８２の検索式を変更した後、送信アイコン３８８を押すと、前記した２２５３４件以外の医療情報も参照できる。
【０１５９】
例えば、特定患者ｂは、患者番号が０００３６である特定患者が自己の病気に似ているため、当該特定患者の医療情報に着目したいと考えたとする。この場合、特定患者ｂは、テキストボックス３８２の検索式を変更して、２２５３４件の中から患者番号が０００３６である特定患者の医療情報のみをヒットさせることができる。
【０１６０】
すなわち、この場合は、特定患者ｂは、テキストボックス３８２の検索式を、「ＫＷ＝（胃がん＋胃ガン＋胃癌）」＊ＰＡ＝０００３６」に変更した後、送信アイコン３８８を押す。そうすると、制御部９は、当該検索式に基づく検索を実行し、特定患者ｂの通信端末８の提供／参照２画面３８０における表示ボックスに検索結果であるヒット件数（１３４件）と、リストボックス３８４にその医療情報のファイル名を表示させる（図２５参照）。
【０１６１】
ここで、「ＰＡ」はＰａｔｉｅｎｔの意味であり、「ＰＡ＝０００３６」は患者番号０００３６を指定する意味である。また、「＊」は論理積の意味である。このため、検索式「ＫＷ＝（胃がん＋胃ガン＋胃癌）」＊ＰＡ＝０００３６」は、２２５３４件の中から患者番号が０００３６である特定患者の医療情報（１３４件）のみを抽出することができる（図２５参照）。
【０１６２】
こうすることにより、特定患者ｂは、記憶装置３に記録された患者番号が０００３６である特定患者の医療情報を、時間経過と共に参照することができ、自己の治療の参考にすることができる。
【０１６３】
〔作用効果〕
第１実施形態の情報管理装置１は、原則的には、使用患者本人が各種医療機関から得た自己の医療情報を集中管理して使用できる。つまり、使用患者本人のみが自己の医療情報を情報管理装置１の記憶装置４に記録でき、かつ、使用患者本人のみが情報管理装置１の記憶装置４に記録した自己の医療情報を参照することができる（前記した使用患者ｃ）。
【０１６４】
換言すると、他の使用患者および各種医療機関を含む第三者への自己の医療情報の提供（開示）を望まない使用患者（自己の医療情報を秘匿したい使用患者）は、情報管理装置１の記憶装置４を用いてこのような原則的な使用のみを継続することができる。
【０１６５】
その一方で、原則的な使用をする使用患者の中には、他の使用患者の治療等に役立てる目的で、自己の医療情報の提供を望む献身的な使用患者が存在する（前記した使用患者ａおよびｂ）。第１実施形態の情報管理装置１は、このような献身的な使用患者に対し、自己の医療情報を記憶装置３に複写して記録（提供）することを可能とし、原則的な使用のみならず、献身的な使用も可能にする。
【０１６６】
また、第１実施形態の情報管理装置１は、記憶装置４に記録した自己の医療情報の中から、予め定められた件数以上の自己の医療情報を記憶装置３に複写して記録した患者を特定患者として記憶装置５に記録（登録）し（前記した特定患者ｂ）、特定患者に対して、記憶装置３に記録された全ての医療情報を提供するという利益を与える。つまり、特定患者は、記憶装置３に記録された他の使用患者の医療情報を自己の病気の治療方針の検討等で使用することができる。
【０１６７】
別の見方をすれば、第１実施形態の情報管理装置１は、特定患者に対して前記した利益を与えるため、原則的な使用のみを行う使用患者に対して（前記した使用患者ｃ）、特定患者になること（自己の医療情報を他の使用患者の利用に供すること）を促す効果があるとも言える。特定患者が増えれば、特定患者が自己の治療のための検討で使える医療情報が増えるため、特定患者の治療精度および治癒率の向上、並びに投薬量の減少になり、ひいては、医療費の低減に繋がると考えられる。
【０１６８】
＜第２実施形態＞
第２実施形態の情報管理装置５０１について、以下に説明する。
なお、説明を分かりやすくするため、第１実施形態と同じ構成は、同じ符号を付して詳細な説明を省略する。
【０１６９】
第２実施形態の情報管理装置５０１と、第１実施形態の情報管理装置１の主な相違点は、図２９に示すように、情報管理装置５０１に他の記録部としての記憶装置４が無いことである。情報管理装置５０１においては、情報管理装置１における記憶装置４に相当する構成として、通信端末８に設けられた記憶装置を用いる。換言すると、通信端末８に設けられた記憶装置は、第１実施形態の情報管理装置１における記憶装置４の１つの領域として機能する。
【０１７０】
なお、情報管理装置５０１の記憶装置３、５および６と、通信端末８に設けられた記憶装置と、の誤認混同を避けるため、通信端末８に設けられた記憶装置は、記憶部と表現する。通信端末８がスマートフォンまたはタブレット等の携帯端末の場合、記憶部は、当該携帯端末内部に設けられたメモリが該当する。また、通信端末８がパーソナルコンピュータの場合、記憶部は、当該パーソナルコンピュータの内部に設けられた内蔵ハードディスク若しくはメモリ、または外部に設けられた外付けハードディスク等が該当する。
【０１７１】
情報管理装置５０１の使用を希望する初患者は、自己の通信端末８により、通信網７を介して情報管理装置５０１の制御部９に接続する。そうすると、制御部９は、初患者の通信端末８のタッチパネル等の画面に、図５に示す初期画面３００を表示させる。
【０１７２】
情報管理装置５０１に初めて接続した初患者は、通信端末８に初期画面３００が表示された状態においてアイコン３０１を押す。そうすると、初患者の通信端末８は、アイコン３０１を押した情報を、通信網７を介して制御部９に送信する。当該情報を受信した制御部９は、初患者の通信端末８に、図３０に示す登録画面５１０を表示させる。登録画面５１０は、登録画面３１０と比較すると（図６参照）、登録画面３１０に対して、フォルダ５１４を入力するテキストボックス５１１が追加されている点のみ相違する。
【０１７３】
初患者は、図３０に示す登録画面５１０が通信端末８に表示された状態において、氏名等の個人情報をテキストボックス３１１に入力し、自己の医療情報を記録する記録位置情報（自己の通信端末８の記憶部内のフォルダ名等）をテキストボックス５１１に入力する。
【０１７４】
そして、初患者は、テキストボックス３１１および５１１の全てに個人情報および記録位置情報を入力した後、登録画面５１０の送信アイコン３１３を押す。そうすると、制御部９は、テキストボックス３１１および５１１に入力された全ての情報を記憶装置６に記録する。そして、制御部９は、記憶装置６に記録されたメールアドレスを読み込み、当該メールアドレス宛にＩＤおよびパスワードを送信する。さらに、制御部９は、初患者の通信端末８に、図７に示すログイン画面３２０を表示させる。
【０１７５】
初患者は、ログイン画面３２０において、制御部９から送信された自己のＩＤおよびパスワードをテキストボックス３２１および３２２に入力した後、送信アイコン３２４を押すと、情報管理装置５０１にログインできる。このようにして、初患者は、使用患者となり、情報管理装置５０１の使用が可能になる。
【０１７６】
使用患者が情報管理装置５０１にログインすると、制御部９は、使用患者の通信端末８に、図３１に示すメニュー画面５３０を表示させる。メニュー画面５３０は、情報管理装置１のメニュー画面３３０（図８参照）と比較すると、記録／参照アイコン３３１が無い点と、提供／参照アイコン５３２の機能のみ異なる。このため、提供／参照アイコン５３２の機能のみ説明し、他のアイコンの説明は省略する。
【０１７７】
図３１に示すメニュー画面５３０が使用患者の通信端末８に表示された状態において、使用患者がアイコン５３２を押すと、制御部９は、使用患者の通信端末８に、図１４に示す提供／参照画面３６０を表示させる。
【０１７８】
提供／参照画面３６０には、使用患者が自己の通信端末８の記憶部に記録した自己の医療情報（図１４においては４件）を参照または選択（指定）するためのリストボックス３６１と、使用患者が記憶装置３に複写して記録済みの自己の医療情報（図１４おいては無し）を参照または選択できるリストボックス３６３と、使用患者が記憶装置３に複写して記録済みの自己の医療情報の数を表示する表示ボックス３６４（図１４においては０件）等が表示される。
【０１７９】
つまり、情報管理装置１の提供／参照画面３６０においては、使用患者が使用する記憶装置６における自己の領域に記録された全ての自己の医療情報がリストボックス３６１に表示されていた。これに対し、情報管理装置５０１の提供／参照画面３６０は、自己の通信端末８の記憶部に記録された全ての自己の医療情報がリストボックス３６１に表示される。
【０１８０】
情報管理装置５０１の制御部９は、使用患者の通信端末８の記憶部に記録された全ての医療情報をリストボックス３６１に表示させる際、まず、記憶装置６に記録された当該使用患者の記録位置情報（図３０において、テキストボックス５１１に入力されたフォルダ名等の情報）を読み込む。
【０１８１】
そして、制御部９は、当該記録位置情報に基づいて、当該使用患者の通信端末８の記憶部にアクセスし、当該記憶部の記録位置情報（記録位置情報がフォルダ名の場合、当該フォルダ名と同一名称のフォルダ）内の全ての医療情報のファイル名をリストボックス３６１に表示させる。その後の情報管理装置５０１の制御部９等の機能は、情報管理装置１と比較して、記憶装置３に複写して記録する医療情報の元になる使用患者の医療情報が、記憶装置４に記録されているか、通信端末８の記憶部に記録されているかの違いのみであり、他は情報管理装置１と同じであるため、詳細な説明を省略する。
【０１８２】
前記したように、情報管理装置５０１は、情報管理装置１における使用患者の医療情報を記録する記憶装置６を無くし、当該記憶装置６の機能をそれぞれの使用患者が所有する通信端末８の記憶部に持たせることにより、情報管理装置１と同じ効果を得ることができる。また、情報管理装置５０１は、当該効果のみならず、記憶装置４を要しないため、情報管理装置１よりもコストを安価にできるという効果も奏する。
【０１８３】
＜第３実施形態＞
第３実施形態の情報管理装置１０１について、以下に説明する。
なお、説明を分かりやすくするため、第１実施形態と同じ構成は、同じ符号を付して詳細な説明を省略する。
【０１８４】
第３実施形態の情報管理装置１０１と、第１実施形態の情報管理装置１の主な相違点は、次の３つである。
すなわち、１つ目の相違点は、各種医療機関も登録部としての記憶装置５に記録（登録）できることである。
【０１８５】
２つ目の相違点は、記憶装置５に記録された各種医療機関（以下、「登録医療機関」と称す。）は、自らが作成した医療機関情報を、記憶装置３に記録できることである。
【０１８６】
３つ目の相違点は、制御部９は、登録医療機関に対して記憶装置３に記録された全ての医療情報を提供すると共に、特定患者に対し、記憶装置３に記録された全ての医療機関情報を提供することである。
【０１８７】
ここで、各種医療機関は、病院、薬局、製薬会社、医療技術の研究機関などの医療関係の業務を行う機関のみならず、フィットネスクラブ、針治療院、足つぼマッサージなどの健康を促進する機関も含まれる。
【０１８８】
また、医療機関情報は、登録医療機関が作成した医療情報であって、患者等の医療情報、医科大学等の実験結果、病院等での臨床試験等の各種医療データに基づいて作成した報告書、論文、レポートなどの医療情報である。
【０１８９】
各種医療機関は、情報管理装置１０１の記憶装置３に複写して記録された医療情報の参照を希望する場合、各種医療機関が所有する通信端末８により情報管理装置１０１に対して登録の申請をする。
【０１９０】
具体的には、各種医療機関（正確には、各種医療機関の担当者）は、各種医療機関が所有する通信端末８により通信網７を介して情報管理装置１０１の制御部９に接続する。そうすると、制御部９は、通信端末８に、図２６に示す初期画面４００を表示させる。
【０１９１】
各種医療機関は、通信端末８に初期画面４００が表示された状態において、アイコン４０１を押す。そうすると、制御部９は、通信端末８に、図２７に示す登録画面４１０を表示させる。
【０１９２】
その後、各種医療機関は、通信端末８に表示された登録画面４１０において、入力が必要な事項（名称、郵便番号、住所、電話番号、メールアドレス）を、それぞれのテキストボックス４１１に入力した後、送信アイコン４１３を押す。
【０１９３】
そうすると、通信端末８は、通信網７を介して当該入力情報を情報管理装置１０１の制御部９に送信する。情報管理装置１０１の制御部９は、通信端末８から送信された当該入力情報を記憶装置６に記録する。
【０１９４】
その後、情報管理装置１０１の管理者は、記憶装置６に記録された当該入力情報に基づいて、各種医療機関を審査する。情報管理装置１０１の管理者は、審査の結果、各種医療機関が予め定められた登録条件（例えば、組織規模、臨床試験数、学会での論文提出数等）を充足すると判断した場合、各種医療機関を情報管理装置１０１の記憶装置５に記録する。
【０１９５】
具体的には、記憶装置６に記録された各種医療機関の入力情報を、記憶装置５に複写または移動させて記録する。そうすると、各種医療機関は、記憶装置５に記録された登録医療機関となる。その後、制御部９は、記憶装置５に記録された登録医療機関のメールアドレスを読み込み、当該メールアドレスにＩＤおよびパスワードを送信する。
【０１９６】
なお、情報管理装置１０１の管理者は、前記審査において、各種医療機関が予め定められた登録条件を充足しないと判断した場合、記憶装置６に記録された各種医療機関のメールアドレス宛に登録しない旨の情報を送信する。その後、管理者は、当該各種医療機関の入力情報を記憶装置６から削除する。
【０１９７】
登録医療機関（正確には、登録医療機関の担当者）は、通信端末８を用いて情報管理装置１０１に接続し、図２６に示す初期画面４００を表示させる。その後、登録医療機関が初期画面４００におけるアイコン４０２を押すと、制御部９は、通信端末８に、図２８に示すログイン画面４２０を表示させる。
【０１９８】
登録医療機関は、このログイン画面４２０が通信端末８に表示されている状態において、テキストボックス４２１にＩＤを入力し、テキストボックス４２２にパスワードを入力した後、送信アイコン４２４を押すと、情報管理装置１０１にログインできる。つまり、登録医療機関は、情報管理装置１０１を使用できるようになる。
【０１９９】
制御部９は、登録医療機関に対し、記憶装置３に記録された全ての医療情報を提供する。具体的には、制御部９は、ログイン後の登録医療機関の通信端末８に対し、図２１〜２５に示す提供／参照２画面３８０と同じ画面を表示させる。
【０２００】
これにより、登録医療機関は、記憶装置３に記録された全ての医療情報と、全ての医療機関情報と、を参照できる。そして、登録医療機関は、記憶装置３に記録された多くの医療情報および医療機関情報と、自ら保有する研究結果等の医療情報と、一般に公開されている医療情報等に基づいて、研究、分析等ができる。また、登録医療機関は、前記した研究、分析等の結果得られた知見、成果等の新しい医療情報を、医療機関情報として情報管理装置１０１の記憶装置３に記録できる。
【０２０１】
登録医療機関は、第１実施形態の情報管理装置１で説明した操作と同様の操作により、自ら作成した医療機関情報を記憶装置３に記録できる。つまり、登録医療機関は、まず、制御部９により自己に割り当てられた記憶装置４内の１つの領域に、自己の医療機関情報を記録する。そして、登録医療機関は、図１４〜図１６を用いて説明した操作と同じ操作により、登録医療機関の通信端末８を用いて記憶装置４に記録した自己の医療機関情報を記憶装置３に複写して記録できる。
【０２０２】
第３実施形態の情報管理装置１０１によれば、特定患者は、登録医療機関が作成し、記憶装置３に記録した医療機関情報を参照できる。換言すると、第３実施形態の情報管理装置１０１によれば、自らの病気の治療の参考にするため、多くの医療機関情報を欲する使用患者は、自らの意思で特定患者の登録条件（予め定められた件数以上の自己の医療情報を記憶装置３に記録する）を充足する目的で、多くの自己の医療情報を提供しようとする。このため、使用患者に対し、特定患者になることを促すことができる。
【０２０３】
なお、特定患者は、制御部９が特定患者の通信端末８のみに表示させる提供／参照画面３８０（図２１〜２５参照）において、検索範囲の「医療機関情報」のチェックボックス３８１にチェックを入れることにより登録医療機関が記憶装置３に記録した医療機関情報を参照できる。
【０２０４】
第３実施形態の情報管理装置１０１は、第１実施形態の情報管理装置１を基本構成として（図１参照）、当該基本構成に、登録医療機関が自らの通信端末８を用いて自ら作成した医療機関情報を記憶装置４に記録した後、記憶装置３に記録して提供する等の構成を付加したことを説明した。
【０２０５】
しかし、第３実施形態の情報管理装置は、この構成に限定する必要はなく、第２実施形態の情報管理装置５０１を基本構成とし（図２９参照）、当該基本構成に、当該基本構成に、登録医療機関が自らの通信端末８を用いて自ら作成した医療機関情報を直接記憶装置３に記録して提供する等の構成を付加しても良い。
【０２０６】
この場合は、記憶装置４が無いため、登録医療機関は、自己の医療機関情報を記憶装置３に記録する際、記憶装置４を用いない操作で行う必要がある。すなわち、登録医療機関は、登録医療機関の通信端末８の記憶部に記録された自己の医療機関情報を、第２実施形態で図１６を用いて説明した操作により、記憶装置４を介することなく、通信端末８から直接記憶装置３に記録する。
【０２０７】
＜第４実施形態＞
第４実施形態の情報管理装置１０２について、以下に説明する。
なお、説明を分かりやすくするため、第１実施形態と同じ構成は、同じ符号を付して詳細な説明を省略する。
【０２０８】
第４実施形態の情報管理装置１０２と、第１実施形態の情報管理装置１の主な相違点は、特定患者を複数の階級に分け（ランク分けし）、所属する階級に応じて特定患者が参照できる医療情報の範囲を変えた点である。
【０２０９】
具体的には、記憶装置４に記録された自己の医療情報を、記憶装置３に複写して記録した件数（以下、「複写件数」と称す。）に応じて、特定患者を複数の階級（ランク）に分ける。例えば、特定患者の条件（記憶装置３に記録した自己の医療情報の件数が予め定められた件数以上）を、複写件数１０件以上とする。そして、複写件数が１０件以上２９件未満の特定患者をＣ階級、３０件以上５９件未満をＢ階級、６０件以上をＡ階級とする。
【０２１０】
そして、制御部９が特定患者に提供する記憶装置３に記録された医療情報は、例えば、次のように分ける。
Ａ階級の特定患者に対しては、記憶装置３に記録された医療情報の全てを提供する。つまり、Ａ階級の特定患者は、図２１〜２５の提供／参照画面３８０において、医療情報および医療機関情報のチェックボックスにチェックを入れることができる。
【０２１１】
また、Ｂ階級の特定患者に対しては、記憶装置３に記録された医療情報の中で、特定患者の医療情報のみ提供する。つまり、Ｂ階級の特定患者は、図２１〜２５の提供／参照画面３８０において、医療情報のチェックボックスにはチェックを入れることができるが、医療機関情報のチェックボックスにチェックを入れることはできない。
【０２１２】
また、Ｃ階級の特定患者に対しては、記憶装置３に記録された医療情報の中で、予め定められた期間の特定患者の医療情報のみ提供する。つまり、Ｃ階級の特定患者は、図２１〜２５の提供／参照画面３８０において、医療情報のチェックボックスにはチェックを入れることができるが、医療機関情報のチェックボックスにチェックを入れることはできない。さらに、Ｃ階級の特定患者が参照できる医療情報は、予め定められた期間（例えば、２０１２年から２０１４年）のみである。
【０２１３】
上記のように特定患者を、他の特定患者に提供する医療情報の件数で階級分けし、所属する階級に応じて特定患者が参照できる医療情報の範囲を変えることにより、様々な効果を生み出すことができる。
【０２１４】
例えば、使用患者が特定患者になるための敷居を低くすることができる（上記では複写件数１０件）。このため、使用患者は、Ｃ階級の特定患者になることが容易であり、特定患者の利益である記憶装置３の医療情報の参照を試すことができる。換言すると、使用患者は、とりあえず、Ｃ階級の特定患者になり、記憶装置３にどのような医療情報が記録されているか、参照して確認することができる。
【０２１５】
その結果、Ｃ階級の特定患者は、より多くの医療情報を参照したいと考えた場合、階級をＢまたはＡに上げるため、より多くの自己の医療情報を記憶装置３に記録しようとする。つまり、階級の低い特定患者に対し、多くの自己の医療情報の提供（記憶装置３への記録）を促すことができる。そうすると、特定患者が自己の病気の治療等の参考にするための医療情報が増えるため、特定患者の治療精度等が向上すると考えられる。
【０２１６】
なお、他の特定患者に提供する自己の医療情報の件数に応じて階級を分けるのであれば、特定患者の階級は、前記したＡ〜Ｃの３階級に限定する必要はない。特定患者の階級は、２階級であっても１０階級であっても１００階級であっても良い。また、各階級の利益は、上位の階級（記憶装置３に記録する自己の医療情報の数が多い）の方が、下位の階級（記憶装置３に記録する自己の医療情報の数が少ない）よりも参照できる医療情報の範囲が広ければ、前記した利益以外でも良い。各特定患者の階級は、制御部９が各特定患者の情報を記録する記憶装置５に記録する。
【０２１７】
第４実施形態の情報管理装置１０２は、第１実施形態の情報管理装置１を基本構成として（図１参照）、当該基本構成に、階級の構成を付加したものとして説明した。
【０２１８】
しかし、第４実施形態の情報管理装置は、この構成に限定する必要はなく、第２実施形態の情報管理装置５０１を基本構成としても良く（図２９参照）、第３実施形態の情報管理装置１０１を基本構成としても良い。
【０２１９】
＜第５実施形態＞
第５実施形態の情報管理装置６０１について、以下に説明する。なお、説明を分かりやすくするため、第２実施形態の情報管理装置１０１と同じ構成は、同じ符号を付して詳細な説明を省略する。
【０２２０】
情報管理装置６０１と、第２実施形態の情報管理装置１０１との主な相違点は、使用患者が自己の通信端末８の記憶部に記録されている自己の医療情報を、情報管理装置６０１の記憶装置３に記録するに当たり、制御部９が記録条件を判断する点である。以下、制御部９による記録条件の判断を中心に、情報管理装置６０１の構成について説明する。
【０２２１】
情報管理装置６０１の制御部９は、使用患者が自己の通信端末８の記憶部に記録した自己の医療情報を記憶装置３に記録する際、使用患者に対して、当該医療情報を得るに当たり使用患者が医療機関に支払った医療費に関する医療費情報を要求する。換言すると、使用患者は、自己の通信端末８の記憶部に自己の医療情報および医療費情報を記録した後、当該医療情報および当該医療費情報を、通信端末８を用いて情報管理装置６０１の制御部９に送信しなければならない。
【０２２２】
ここで、医療費情報とは、医療機関が患者に発行した領収書、請求書などの医療費および医療機関名が記載された情報をいう。一般に、患者は、医療機関から医療行為を受けたその日に、その対価等として当該医療機関に医療費を支払う。このため、患者は、医療行為の記録であるカルテ、処方箋等の医療情報と、医療費の記録である領収書等の医療費情報を、医療機関から同日に受け取る。
【０２２３】
以下、使用患者が医療機関の治療を受けた際、当該医療機関からカルテおよび処方箋（医療情報）と、医療費が記載された領収書（医療費情報）と、を紙で受け取った場合を例示して具体的に説明する。この場合、使用患者は、まず、当該紙を写真に撮るまたはスキャナで読み取るなどの手段により画像情報に変え、当該画像情報を自己の通信端末８の記憶部に記録する。
【０２２４】
使用患者の通信端末８がスマートフォン、タブレット等の携帯端末の場合は、携帯端末に付属するカメラ機能を用いることにより、紙に記載された医療情報および医療費情報を写真等の画像情報に変換し、記憶部に記録することが容易にできる。
【０２２５】
その後、使用患者は、通信端末８を用いて情報管理装置６０１にログインし、図３２に示す提供／参照画面３６０を通信端末８に表示させる。このとき、提供／参照画面３６０のリストボックス３６２には、使用患者の通信端末８の記憶部に記録された医療情報である２つの画像情報のファイル名と、医療費情報である１つの画像情報のファイル名が表示される。
【０２２６】
そして、この提供／参照画面３６０において、使用患者は、リストボックス３６２に表示された２つの医療情報および１つの医療費情報を押すと、図３３に示すようにリストボックス３６２内の３つの画像情報のファイル名は白黒反転する。その後、使用患者が送信アイコン３６８を押すと、通信端末８は、通信網７を介して２つの医療情報および１つの医療費情報を制御部９に送信する。
【０２２７】
制御部９は、受信した２つの医療情報および１つの医療費情報を、ＲＡＭ１８Ｃに記録する（図３参照）。そして、制御部９は、ＲＯＭ１８Ｂに記録されているテキスト変換プログラム（ソフトウエア）を用いて、ＲＡＭ１８Ｃに記録された２つの医療情報および１つの医療費情報をテキスト変換する。このテキスト変換された２つの医療情報および１つの医療費情報は、制御部９がＲＡＭ１８Ｃに記録する。
【０２２８】
そして、制御部９は、ＲＯＭ１８Ｂに記録されている情報比較プログラム（ソフトウエア）を用いて、テキスト変換された医療費情報と、テキスト変換された医療情報とを比較し、両方で一致する（共通する）情報を一致情報として抽出する。この抽出した複数の一致情報の中に、医療機関名が１つだけ存在していた場合、制御部９は、ＲＡＭ１８Ｃに記録された２つの医療情報を記録装置３に記録する（図３４参照）。つまり、前記した記録条件は、制御部９が抽出した複数の一致情報の中に、医療機関名が１つだけ存在していることである。
【０２２９】
抽出した一致情報の中に医療機関名が存在していなかった場合、例えば、テキスト変換した２つの医療情報からは「●●●医院」という医療機関名を抽出したが、１つの医療費情報からは「●●●医院」という医療機関名を抽出できなかった場合、制御部９は、記録条件を充足しないと判断し、２つの医療情報を記録装置３に記録しない。つまり、図３５に示すように、特定患者の通信端末８にエラー表示をすると共に、ＲＡＭ１８Ｃに記録された２つの医療情報および１つの医療費情報を削除する。
【０２３０】
前記した構成により、記憶装置３に記録される医療情報が悪意の使用患者（善意の使用患者を装う者）による偽の医療情報で汚染されることを抑制できる。つまり、記憶装置３の医療情報を参照して自己の病気等の治療の参考にする特定患者は、悪意の使用患者が捏造した偽の医療情報により、誤った医療行為を選択することを抑制でき、ひいては、医療費が無駄に増大することを抑制できる。
【０２３１】
なお、制御部９は、抽出した一致情報の中から医療機関名を抽出する際、医療機関名のみならず他の情報（例えば、日付）も抽出するのが望ましい。つまり、制御部９は、一致情報の中に医療機関名が１つだけ存在し、かつ、日付が１つだけ存在していた場合に限り、使用患者が自己の通信端末８で送信した記憶部内の自己の医療情報を記録装置３に記録するのが望ましい。
【０２３２】
このように、記録条件として用いる一致情報は、できれば複数用いる方が良い。なぜなら、偽の医療情報であるか否かを判断するための一致情報は、多ければ多いほど、より高い確度で、記憶装置３に記録される医療情報が悪意の患者による偽の医療情報で汚染されることを抑制できるからである。
【０２３３】
ただし、記録条件として用いる一致情報は、多ければ多いほど、前記した効果を得られるが、制御部９による誤判断（誤認識、エラー）が増加するという逆の効果もある。このため、医療情報の判断に用いる一致情報の数は、前記した確度の向上と、誤認識の削減とのバランスを考慮して決定する必要がある。
【０２３４】
なお、前記した例では、記録条件として用いる一致情報として、医療機関名と、日付を用いたものを示したが、これらは一例であって、他の一致情報（例えば、病名等）を用いても良い。
【０２３５】
また、制御部９は、前記した記録条件に対し、使用患者の通信端末８から送信された自己の医療情報の受信時間と、使用患者が当該医療情報を得るに当たり医療機関に支払った医療費に関する医療費情報の受信時間と、の差が予め定められた時間内である場合に限り、使用患者の通信端末から送信された自己の医療情報を記憶装置３に記録するという他の記録条件を付しても良い。
【０２３６】
具体的には、前記した他の記録条件は、制御部９による医療情報の受信時間と、医療費情報の受信時間と、の差を予め定められた時間（例えば１５分）以内にすることである。このような他の記録条件を付すことにより、悪意の患者が医療情報または医療費情報を捏造する時間を確保することが困難になる。つまり、記憶装置３に記録される医療情報が悪意の患者による偽の医療情報で汚染されることを抑制できる。
【０２３７】
なお、前記した予め定められた時間は、制御部９の操作部２０および表示部２２を用いて情報管理装置６０１の管理者が任意に設定してＲＯＭ１８Ｂまたは不揮発性メモリ１８Ｄに記録できる。前記した予め定められた時間は、悪意の患者が医療情報及び医療費情報の少なくとも一方の捏造が困難になる時間であれば、２０分であっても１０分であっても良い。
【０２３８】
また、前記した他の記録条件は、情報管理装置６０１が管理する医療情報の汚染を抑制できるという効果があるものの、使用患者の大部分を占める善意の使用患者による情報管理装置６０１の利便性を悪化させるという負の側面がある。
【０２３９】
このため、情報管理装置６０１の制御部９は、使用患者が自己の医療情報を記憶装置３に記録した回数に応じて、使用患者毎に、前記した他の記録条件における予め定められた時間を増加または消滅させるのが望ましい。
【０２４０】
具体的には、前記した他の記録条件を下記のように緩和する。すなわち、自己の医療情報を記憶装置３に記録した回数（以下、「記録回数」と称す。）が５回以下の使用患者は、制御部９による医療情報の受信時間と、医療費情報の受信時間と、の差（以下、「時間差」と称す。）を１５分以内にする。記録回数が６回以上１０回以下の使用患者は、時間差を６０分以内にする。記録回数が１１回以上２０回以下の使用患者は、時間差を１２０分以内にする。記録回数が予め定められた回数以上（２１回以上）の使用患者は、時間差を無くすなどである。
【０２４１】
また、前記した他の記録条件を下記のように緩和しても良い。すなわち、自己の医療情報を記憶装置３に記録した件数（以下、「記録件数」と称す。）が１０件以下の使用患者は、時間差を１５分以内にする。記録件数が１１件以上５０件以下の使用患者は、時間差を６０分以内にする。記録回数が５１件以上１００件以下の使用患者は、時間差を１２０分以内にする。記録件数が予め定められた件数以上（１０１件以上）の使用患者は、時間差を無くすなどである。
【０２４２】
なお、前記した記録回数および記録件数は、制御部９の操作部２０および表示部２２を用いて、情報管理装置６０１の管理者が任意に設定してＲＯＭ１８Ｂまたは不揮発性メモリ１８Ｄに記憶できる。前記した記録回数および記録件数と、当該記録件数および記録回数を達成した場合の効果は、情報管理装置の使用者である使用患者が善意の使用患者であることの確度が高くなるほど前記した負の側面が緩和または無くなるように設定されていれば良い。
【０２４３】
第５実施形態の情報管理装置６０１は、第２実施形態の情報管理装置１０１を基本構成として（図２９参照）、当該基本構成に、制御部９による記録条件の判断の構成を付加したものとして説明した。
【０２４４】
しかし、第５実施形態の情報管理装置は、この構成に限定する必要はなく、第１実施形態の情報管理装置１を基本構成としても良い（図１参照）。
【０２４５】
第５実施形態の情報管理装置が第１実施形態の情報管理装置１を基本構成とする場合、使用患者は、自己の通信端末８の記憶部に記録された自己の医療情報を記憶装置４に記録した後（第１実施形態における図１０〜１２の説明参照）、記憶装置４に記録した自己の医療情報の中から選択した自己の医療情報を記憶装置３に記録する（第１実施形態における図１４〜１６の説明参照）。
【０２４６】
つまり、使用患者の医療情報は、情報管理装置の記憶装置に２度記録される。このため、制御部９は、前記した記録条件の充足／不充足の判断を、記憶装置４に医療情報が記録されるときと、記憶装置４の医療情報が記憶装置３に複写して記録されるときの２度判断することができる。このように、前記した記録条件の充足／不充足の判断を２度行うことにより、当該判断が１度の場合と比較して、特定患者に提供される記憶装置３の医療情報が悪意の患者による偽の医療情報で汚染されることを抑制できる。
【０２４７】
ただし、同一の前記した判断を２度行うことは、非効率とも考えられる。このため、前記した判断は、記憶装置４への記録、または記憶装置３に複写して記録のいずれかの記録時に一度だけ行うのが望ましい。ここで、いずれか一方を選ぶとすれば、後者（記憶装置３に複写して記録）にするのが望ましい。なぜなら、記憶装置４は、患者本人のみが使用するため、記憶装置４に偽の医療情報を記録した場合、不利益を被るのは患者本人のみだからである。
【０２４８】
当該理由および効率を考慮すると、第５実施形態の情報管理装置が第１実施形態の情報管理装置１を基本構成とする場合、前記した制御部９が行う判断は、記憶装置４に記録した自己の医療情報の中から選択した自己の医療情報を記憶装置３に記録する（第１実施形態における図１４〜１６の説明参照）ときのみ行うのが望ましい。
【０２４９】
前記した実施形態は、説明のために例示したものであって、本発明としてはそれらに限定されるものではなく、特許請求の範囲、発明の詳細な説明および図面の記載から当業者が認識することができる本発明の技術的思想に反しない限り、変更および付加が可能である。
【０２５０】
例えば、前記した第１実施形態においては、記憶装置３〜６のそれぞれが通信ケーブルを介して制御部９に接続された情報管理装置１を示したが、これに限るものではない。例えば、記憶装置３〜６は、図４に示すように、それぞれがサーバとしての機能を備え、それぞれが通信網７を介して制御部９と接続されていてもよい。
【０２５１】
また、前記した第１実施形態においては、記録部、他の記録部、登録部および他の登録部がそれぞれ１台ずつの記憶装置３〜６で構成された情報管理装置１を示したが、これに限るものではない。記録部、他の記録部、登録部および他の登録部は、１台の記憶装置で構成されていても良い。例えば、１台の記憶装置のメモリ領域を４つに分割し、それぞれの記憶領域に記録部、他の記録部、登録部および他の登録部の機能を持たせても良い。この場合、１台の記憶装置における他の記録部の機能を持たせたメモリ領域は、図２に示したように、さらに複数のメモリ領域（領域Ａ、Ｂ、Ｃ・・・）に分割される。
【０２５２】
また、前記した実施形態において、特定患者ではない使用患者は、提供／参照画面３６０が表示されている状態で、記憶装置３に記録された医療情報の内、リストボックス３６３に自己の医療情報を表示させるものを示したが、これに限るものではない。この場合、特定患者ではない使用患者のリストボックス３６３に何も表示させなくてもよい。換言すると、制御部９は、特定患者ではない使用患者に対して、記憶装置３に記録されているすべての医療情報を参照できなくしてもよい。例えば、図１９に示す提供／参照画面３６０において、制御部９は、リストボックス３６３に何も表示しない。
【０２５３】
この場合であっても、使用患者は、当該提供／参照画面３６０のリストボックス３６１のチェックボックス３６２を参照することにより、記憶装置４または自己の通信端末８の記憶部に記録された自己の医療情報の中で、どの医療情報を記憶装置３に記録したかを把握できる。
【０２５４】
そして、当該使用患者は、記憶装置３に記録した自己の医療情報を削除する場合、チェックボックス３６２が黒色にチェックされたファイル名を選択し（このとき、当該ファイル名は白黒反転する）、削除アイコン３６５を押すと、当該ファイル名の自己の医療情報が記憶装置３から削除される。このとき、チェックボックス３６１の当該ファイル名のチェックボックス３６２は白色になり、チェックが外れる。
【符号の説明】
【０２５５】
１  情報管理装置
２  情報管理システム
３  記憶装置（記録部の一例）
４  記憶装置（他の記録部の一例）
５  記憶装置（登録部の一例）
６  制御部
７  通信網
８  通信端末
【図１】
2019164507.tif 000003
【図２】
2019164507.tif 000004
【図３】
2019164507.tif 000005
【図４】
2019164507.tif 000006
【図５】
2019164507.tif 000007
【図６】
2019164507.tif 000008
【図７】
2019164507.tif 000009
【図８】
2019164507.tif 000010
【図９】
2019164507.tif 000011
【図１０】
2019164507.tif 000012
【図１１】
2019164507.tif 000013
【図１２】
2019164507.tif 000014
【図１３】
2019164507.tif 000015
【図１４】
2019164507.tif 000016
【図１５】
2019164507.tif 000017
【図１６】
2019164507.tif 000018
【図１７】
2019164507.tif 000019
【図１８】
2019164507.tif 000020
【図１９】
2019164507.tif 000021
【図２０】
2019164507.tif 000022
【図２１】
2019164507.tif 000023
【図２２】
2019164507.tif 000024
【図２３】
2019164507.tif 000025
【図２４】
2019164507.tif 000026
【図２５】
2019164507.tif 000027
【図２６】
2019164507.tif 000028
【図２７】
2019164507.tif 000029
【図２８】
2019164507.tif 000030
【図２９】
2019164507.tif 000031
【図３０】
2019164507.tif 000032
【図３１】
2019164507.tif 000033
【図３２】
2019164507.tif 000034
【図３３】
2019164507.tif 000035
【図３４】
2019164507.tif 000036
【図３５】
2019164507.tif 000037
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
医療情報を記録できる記録部と、
患者の通信端末から送信された該患者の医療情報と、該患者が該医療情報を得るに当たり医療機関に支払った医療費を含む医療費情報と、を受信し、該医療情報中の医療機関名及び日付と、該医療費情報中の医療機関名及び日付と、が一致した場合に、該記録部に該医療情報を記録する制御部であって、該記録部に自己の医療情報を記録した複数の患者の内、該記録部に記録した自己の医療情報の数が予め定められた数以上である特定患者に対し、該記録部に記録された全ての患者の医療情報を提供する該制御部と、
を備えた情報管理装置。
【請求項２】
医療情報を記録できる記録部と、
患者の通信端末から送信された該患者の医療情報と、該患者が該医療情報を得るに当たり医療機関に支払った医療費を含む医療費情報と、を受信し、該医療情報中の医療機関名及び日付と、該医療費情報中の医療機関名及び日付と、が一致した場合に、該記録部に該医療情報を記録する制御部であって、該記録部に自己の医療情報を記録した複数の患者の内、該記録部に記録した自己の医療情報の数が予め定められた数以上である特定患者に対し、該記録部に記録した該自己の医療情報の数に応じて、該記録部に記録された医療情報の範囲を変えて提供する該制御部と、
を備えた情報管理装置。
【請求項３】
該制御部は、該患者が自己の医療情報を該記録部に記録する際、該自己の医療情報に対し、該患者の個人情報を隠す処理を行う請求項１または２に記載の情報管理装置。
【請求項４】
該制御部は、各種医療機関に対し該記録部に記録された医療情報を提供し、該各種医療機関が作成した医療機関情報を該記録部に記録すると共に、該特定患者に対し該記録部に記録された該医療機関情報を提供する請求項１〜３のいずれか１項に記載の情報管理装置。
【手続補正２】
【補正対象書類名】明細書
【補正対象項目名】０００８
【補正方法】変更
【補正の内容】
【０００８】
請求項１に記載の情報管理装置は、医療情報を記録できる記録部と、患者の通信端末から送信された該患者の医療情報と、該患者が該医療情報を得るに当たり医療機関に支払った医療費を含む医療費情報と、を受信し、該医療情報中の医療機関名及び日付と、該医療費情報中の医療機関名及び日付と、が一致した場合に、該記録部に該医療情報を記録する制御部であって、該記録部に自己の医療情報を記録した複数の患者の内、該記録部に記録した自己の医療情報の数が予め定められた数以上である特定患者に対し、該記録部に記録された全ての患者の医療情報を提供する該制御部と、を備えたものである。
【手続補正３】
【補正対象書類名】明細書
【補正対象項目名】０００９
【補正方法】変更
【補正の内容】
【０００９】
請求項２に記載の情報管理装置は、医療情報を記録できる記録部と、患者の通信端末から送信された該患者の医療情報と、該患者が該医療情報を得るに当たり医療機関に支払った医療費を含む医療費情報と、を受信し、該医療情報中の医療機関名及び日付と、該医療費情報中の医療機関名及び日付と、が一致した場合に、該記録部に該医療情報を記録する制御部であって、該記録部に自己の医療情報を記録した複数の患者の内、該記録部に記録した自己の医療情報の数が予め定められた数以上である特定患者に対し、該記録部に記録した該自己の医療情報の数に応じて、該記録部に記録された医療情報の範囲を変えて提供する該制御部と、を備えたものである。
【手続補正４】
【補正対象書類名】明細書
【補正対象項目名】００１１
【補正方法】変更
【補正の内容】
【００１１】
請求項４に記載の情報管理装置は、請求項１から３のいずれか１つに記載の情報管理装置において、該制御部は、各種医療機関に対し該記録部に記録された医療情報を提供し、該各種医療機関が作成した医療機関情報を該記録部に記録すると共に、該特定患者に対し該記録部に記録された該医療機関情報を提供するものである。
【手続補正５】
【補正対象書類名】明細書
【補正対象項目名】００１２
【補正方法】変更
【補正の内容】
【００１２】
請求項１に記載の情報管理装置によれば、特定患者以外にも医療情報提供する場合と比較して、医療情報の共有利用に関し、患者間の公平を失することを抑制できる。
また、請求項１に記載の情報管理装置によれば、記録部に記録される医療情報が、偽の医療情報で汚染されることを抑制できる。

【手続補正６】
【補正対象書類名】明細書
【補正対象項目名】００１３
【補正方法】変更
【補正の内容】
【００１３】
請求項２に記載の情報管理装置によれば、特定患者が、予め定められた件数に対して、より多くの自己の医療情報を記録部に記録することを促すことができる。
また、請求項２に記載の情報管理装置によれば、記録部に記録される医療情報が、偽の医療情報で汚染されることを抑制できる。
【手続補正７】
【補正対象書類名】明細書
【補正対象項目名】０１５６
【補正方法】変更
【補正の内容】
【０１５６】
例えば、図２４においては、特定患者ｂは「２００００１０５−レントゲン−●●●医院（０００３６）ＰＤＦ」という医療情報を選択しているので、特定患者ｂが参照アイコン３８６を押すと、特定患者ｂの通信端末８には、胃癌の使用患者（患者番号０００３６）のレントゲン写真が表示される。
【手続補正８】
【補正対象書類名】明細書
【補正対象項目名】０１６１
【補正方法】変更
【補正の内容】
【０１６１】
ここで、「ＰＡ」はＰａｔｉｅｎｔの意味であり、「ＰＡ＝０００３６」は患者番号０００３６を指定する意味である。また、「＊」は論理積の意味である。このため、検索式「ＫＷ＝（胃がん＋胃ガン＋胃癌）＊ＰＡ＝０００３６」は、２２５３４件の中から患者番号が０００３６である特定患者の医療情報（１３４件）のみを抽出することができる（図２５参照）。
【手続補正９】
【補正対象書類名】明細書
【補正対象項目名】０１８２
【補正方法】変更
【補正の内容】
【０１８２】
前記したように、情報管理装置５０１は、情報管理装置１における使用患者の医療情報を記録する記憶装置４を無くし、当該記憶装置４の機能をそれぞれの使用患者が所有する通信端末８の記憶部に持たせることにより、情報管理装置１と同じ効果を得ることができる。また、情報管理装置５０１は、当該効果のみならず、記憶装置４を要しないため、情報管理装置１よりもコストを安価にできるという効果も奏する。
【手続補正１０】
【補正対象書類名】明細書
【補正対象項目名】０２０５
【補正方法】変更
【補正の内容】
【０２０５】
しかし、第３実施形態の情報管理装置１０１は、この構成に限定する必要はなく、第２実施形態の情報管理装置５０１を基本構成とし（図２９参照）、当該基本構成に、登録医療機関が自らの通信端末８を用いて自ら作成した医療機関情報を直接記憶装置３に記録して提供する等の構成を付加しても良い。